(57)【特許請求の範囲】
【請求項１】
ポリオレフィンに光安定性および難燃性を与えるための方法であって、該方法は
（ａ）ポリオレフィンに、
（ｂ）
ｂ１）メラミンポリホスフェート、
ｂ２）ビス（ヘキサクロロシクロペンタジエノ）シクロオクタン、
ｂ３）トリス（２，３−ジブロモプロピル）−イソシアヌレート、
ｂ４）エチレン−ビス−テトラブロモフタルイミド、および
ｂ５）１，２−ビス（ペンタブロモフェニル）エタンからなる群より選択された、一種またはそれより多くの難燃剤、ならびに
（ｃ）ヒドロカルビルオキシアミンまたはヒドロキシヒドロカルビルオキシアミン類の立体障害性アミン光安定剤
の組み合わせ（ただし、立体障害性アミンがヒドロキシヒドロカルビルオキシアミン類である場合、難燃剤は（ｂ４）ではない。）を添加することを含む方法。
【請求項２】
（ａ）ポリオレフィンに
ｂ３）トリス（２，３−ジブロモプロピル）−イソシアヌレート、および
（ｃ）ヒドロカルビルオキシアミンまたはヒドロキシヒドロカルビルオキシアミン類の立体障害性アミン光安定剤
の組み合わせを添加することを含む、請求項１記載の方法。
【請求項３】
ａ）ポリオレフィン、
ｂ３）トリス（２，３−ジブロモプロピル）イソシアヌレート、および
（ｃ）ヒドロカルビルオキシアミンまたはヒドロキシヒドロカルビルオキシアミン類の立体障害性アミン光安定剤
を含む、難燃性および光安定化組成物。
【請求項４】
ａ）ポリオレフィン、および
（ｂ）
ｂ１）メラミンポリホスフェート、
ｂ２）ビス（ヘキサクロロシクロペンタジエノ）シクロオクタン、
ｂ３）トリス（２，３−ジブロモプロピル）イソシアヌレート、および
ｂ５）１，２−ビス（ペンタブロモフェニル）エタンからなる群より選択された難燃剤、ならびに
（ｃ）ヒドロキシヒドロカルビルオキシアミン類の立体障害性アミン光安定剤
を含む、難燃性および光安定化組成物。
【発明の詳細な説明】
【０００１】
【発明の属する技術分野】
本発明は、光、酸素および熱の有害な影響に対して安定化され、そしてある種の難燃剤を含む熱可塑性有機ポリマー、特に熱可塑性ポリオレフィン（ＴＰＯ）のようなポリオレフィンであって、ヒドロカルビルオキシアミンまたはヒドロキシヒドロカルビルオキシアミン類の立体障害性アミンおよび任意により更なる安定剤を含むもの、光安定化および難燃性特性の両方を与えるためのこれらの難燃剤および立体障害性アミンの使用、ならびに熱可塑性有機ポリマーの光安定性および難燃性を改良するところの方法に関する。
【０００２】
【従来の技術】
米国特許第５，３９３，８１２号は、ハロゲン化ヒドロカルビルホスフェートまたはホスホネートエステル難燃剤の添加により難燃性を与えられ、そしてアルコキシアミン官能性立体障害性アミンにより屋外暴露に対して安定化されたポリオレフィン組成物を記載している。欧州特許第ＥＰ−Ａ−７９２９１１号は、ポリオレフィンの難燃性を与えるためのアルコキシアミン官能性立体障害性アミンの使用を提案している。難燃剤としてのアルコキシアミン官能性立体障害性アミン単独の活性は、ＷＯ９９／００４５０に開示されている。
【０００３】
【発明が解決しようとする課題】
屋外暴露に対する良好な安定性を得るために、現在もなお難燃性ポリマー組成物を改良する必要性が存在する。
【０００４】
【課題を解決するための手段】
今や、特に屋外用途に関する紫外線光および屋外暴露に対する最適な安定化ならびに良好な難燃性特性が、熱可塑性ポリマー、特に、耐衝撃変性されたポリオレフィンもしくは熱可塑性ポリオレフィン（ＴＰＯ）のようなポリオレフィン、ポリオレフィンコポリマーまたはそれらのブレンドにおいて、ある種の立体障害性アミン安定剤が特定の難燃剤との組み合わせで使用される場合、兼ね備えられ得ることが見出された。従って本発明は、熱可塑性ポリマーに光安定性および難燃性を与えるための方法であって、該方法は
（ａ）ポリオレフィンに、
（ｂ）
ｂ１）メラミンポリホスフェート、
ｂ２）ビス（ヘキサクロロシクロペンタジエノ）シクロオクタン、
ｂ３）トリス（２，３−ジブロモプロピル）イソシアヌレート、
ｂ４）エチレン−ビス−テトラブロモフタルイミド、および
ｂ５）１，２−ビス（ペンタブロモフェニル）エタンからなる群より選択された、一種またはそれより多くの難燃剤、ならびに
（ｃ）ヒドロカルビルオキシアミンまたはヒドロキシヒドロカルビルオキシアミン類の立体障害性アミン光安定剤
の組み合わせ（ただし、立体障害性アミンがヒドロキシヒドロカルビルオキシアミン類である場合、難燃剤は（ｂ４）ではない。）を添加することを含む方法に関する。
【０００５】
【発明の実施の形態】
成分（ｃ）のヒドロカルビルオキシアミンまたはヒドロキシヒドロカルビルオキシアミン類の立体障害性アミン光安定剤は、アミノ窒素原子における置換基Ｅ1−Ｏ−（式中、ヒドロカルビルオキシアミン類の立体障害性アミンにおいて、Ｅ1は好ましくは炭素原子数１ないし１８のアルキル基、炭素原子数５ないし１２のシクロアルキル基または炭素原子数７ないし１５のアラルキル基を表わし、そしてヒドロキシヒドロカルビルオキシアミン類の立体障害性アミンにおいて、Ｅ1は好ましくはそれぞれ１ないし３個のＯＨ基により置換された炭素原子数１ないし１８のアルキル基、炭素原子数５ないし１２のシクロアルキル基または炭素原子数７ないし１５のアラルキル基を表わす。）を特徴とする（以下の式を参照せよ）。反応性ＯＨ基を含む、後述のタイプの化合物は、反応生成物の形態でも使用され得る。
【０００６】
成分（ｃ）のヒドロカルビルオキシアミンまたはヒドロキシヒドロカルビルオキシアミン類の立体障害性アミン光安定剤は通常、次式
【化３】
0004114183.tif 000002
（式中、Ｇ1およびＧ2は独立して炭素原子数１ないし４のアルキル基を表わすか、または一緒になってペンタメチレン基を表わし、そして
Ｅ1は炭素原子数１ないし１８のアルキル基、炭素原子数５ないし１２のシクロアルキル基または炭素原子数７ないし１５のアラルキル基を表わすか、またはＥ1は、それぞれ脂肪族部分で１ないし３個のＯＨ基により置換されている炭素原子数１ないし１８のアルキル基、炭素原子数５ないし１２のシクロアルキル基または炭素原子数７ないし１５のアラルキル基を表わす。）で表わされる基を含む化合物、あるいはその反応生成物である。好ましくは、次式
【化４】
0004114183.tif 000003
（式中、Ｇ1、Ｇ2およびＥ1は、上記で定義された通りであり、
Ｔは、立体障害性アミンの窒素原子ならびにＧ1およびＧ2により置換された第四炭素原子２個と一緒になって、５−または６−員脂肪族環構造、特にピペリジン環を形成して式（Ｉ）を完成するために必要とされる二価の有機基を表わす。）に従う環式立体障害性アミンであるか、
あるいはジアルキルエステルもしくはイソシアネートと式（Ｉ）（式中、Ｅ1はＯＨ基を１個含み、そしてＴは−ＣＨ2−ＣＨ（ＯＨ）−ＣＨ2−を表わす。）で表わされる化合物との反応から製造されたオリゴマー性またはポリマー性立体障害性アミン分子であるか、
あるいは式（Ｉ）（式中、Ｅ1はＯＨ基を１個含み、そしてＴは−ＣＨ2−ＣＨ（ＯＨ）−ＣＨ2−を表わす。）で表わされる化合物の単一ジエステルまたはウレタン誘導体を表わす。
【０００７】
一般的に、使用された成分（ｃ）で表わされる化合物の有効安定化量は、ポリマー成分（ａ）を基準として、成分（ｃ）の安定剤の０．０１ないし１０重量％、好ましくは０．０５ないし５重量％、特に０．１ないし２重量％である。
該成分（ｃ）の立体障害性アミンは、光安定剤として大きく知られている（米国特許第ＵＳ−５００４７７０号、米国特許第ＵＳ−５０９６９５０号、米国特許第５２０４４７３号、米国特許第ＵＳ−５３００５４４号、米国特許第６１１７９９５号、米国特許第６２７１３７７号）。
【０００８】
成分（ｂ）の難燃剤は市販の化合物である。最も好ましくは、トリス（２，３−ジブロモプロピル）イソシアヌレート（ｂ３）である。
ハロゲンを含まない難燃剤ｂ１は通常、ポリマー（ａ）の１ないし約５０重量％の量で、好ましくはポリマー（ａ）の５ないし５０重量％の量で使用される。ｂ１：ｃの比率は、最も好ましくは２０：１ないし２５０：１の範囲である。
ハロゲン化難燃剤ｂ２、ｂ３、ｂ４、ｂ５および／またはｂ６は通常、全量でポリマー（ａ）の０．５ないし４０重量％、より好ましくはポリマー（ａ）の３ないし４０重量％、最も好ましくは５ないし３５重量％が使用される。
【０００９】
本発明の組成物における難燃剤（ｂ）の最も好ましい量は、
ｂ１）メラミンポリホスフェートが２０ないし５０％、
ｂ２）ビス（ヘキサクロロシクロペンタジエノ）シクロオクタンが５ないし２０％、
ｂ３）トリス（２，３−ジブロモプロピル）イソシアヌレートが２ないし１０％、
ｂ４）エチレン−ビス−テトラブロモフタルイミドが１０ないし４０％、
ｂ５）エタン−１，２−ビス（ペンタブロモフェニル）が２ないし２０％であって、それぞれポリマー（ａ）の重量を基準として重量％を意味する。
【００１０】
また、難燃剤トリス（３−ブロモ−２，２−（ブロモメチル）プロピル）ホスフェート（ｂ７；以下を参照せよ）の使用も本発明に関して重要であり、ポリマー（ａ）の重量を基準として、最も好ましくは２ないし２０重量％、特に２ないし１０重量％の量で使用される。
ハロゲン化難燃剤ｂ２、ｂ３、ｂ４、ｂ５、ｂ６またはｂ７：ｃの比率は、最も好ましくは５：１ないし１００：１の範囲である。
好都合に、ｂ２、ｂ３、ｂ４、ｂ５、ｂ６および／またはｂ７のようなハロゲン化難燃剤は、一般的にポリマー（ａ）の０．５ないし２０重量％の量で添加されるアンチモン化合物（しばしばＳｂ2Ｏ3）のような適当な相乗剤との組み合わせで使用され得る。
【００１１】
成分（ａ）はしばしば、以下の熱可塑性ポリマーから選択される。
１．モノオレフィンおよびジオレフィンのポリマー、例えばポリプロピレン（ＰＰ）、ポリイソブチレン、ポリブテ−１−エン、ポリ−４−メチルペンテ−１−エン、ポリイソプレンまたはポリブタジエン、並びにシクロオレフィン、例えばシクロペンテンまたはノルボルネンのポリマー、ポリエチレン（任意に架橋されていてよい）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）。
【００１２】
ポリオレフィン、すなわち前段落において例示されたモノオレフィンのポリマー、好ましくはポリエチレンおよびポリプロピレンは、種々の方法、特に以下の方法によって製造され得る。
ａ）ラジカル重合（通常、高圧下および高温で）。
ｂ）周期表のＩＶｂ、Ｖｂ、ＶＩｂまたはＶＩＩＩ群の金属原子を通常一種または一種より多く含む触媒を使用する触媒重合。これらの金属原子は、代表的にはπ−またはσ−配位され得るオキシド、ハライド、アルコレート、エステル、エーテル、アミン、アルキル、アルケニルおよび／またはアリールのような配位子を通常１個または１個より多く有する。これらの金属錯体は遊離状態であってもよいが、代表的には活性化塩化マグネシウム、塩化チタン（ＩＩＩ）、アルミナまたは酸化ケイ素のような基材上に固定されていてもよい。これらの触媒は重合媒体中に可溶であってもよいが、不溶であってもよい。触媒は重合において単独で使用されてもよいが、代表的には金属アルキル、金属ヒドリド、金属アルキルハライド、金属アルキルオキシドまたは金属アルキルオキサンのような更なる活性化剤が使用されてもよく、該金属原子は周期表のＩａ、ＩＩａおよび／またはＩＩＩａ群の元素である。活性化剤は更なるエステル、エーテル、アミンまたはシリルエーテル基を用いて都合よく変性され得る。これらの触媒系は通常、フィリップス(Phillips)、スタンダード オイル インディアナ(Standard Oil Indiana)、チグラー（−ナッタ）(Ziegler(-Natta)）、ＴＮＺ（デュポン(DuPont)）、メタロセンまたはシングルサイト触媒(single site catalyst)（ＳＳＣ）と命名される。
【００１３】
２．１）に記載されたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）および異なるタイプのポリエチレンの混合物（例えばＬＤＰＥ／ＨＤＰＥ）。
【００１４】
３．モノオレフィンおよびジオレフィンの相互または他のビニルモノマーとのコポリマー、例えばエチレン／プロピレンコポリマー、線状低密度ポリエチレン（ＬＬＤＰＥ）およびそれらと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマーおよびそれらと一酸化炭素とのコポリマーまたはエチレン／アクリル酸コポリマーおよびそれらの塩（アイオノマー）並びにエチレンとプロピレンおよびヘキサジエン、ジシクロペンタジエンまたはエチリデン−ノルボルネンのようなジエンとのターポリマー、およびそのようなコポリマー相互および１）に記載されたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらと例えばポリアミドのような他のポリマーとの混合物。
４．前述のポリマーのブレンド（ポリブレンド）、例えばＰＰ／ＥＰＤＭ。
【００１５】
以下において、ポリオレフィンという用語は純粋なポリオレフィン、ならびにそれらのコポリマーおよびブレンドに関して使用される。
好ましくは、ポリオレフィンまたは熱可塑性オレフィンもしくはポリオレフィン（ＴＰＯ）はこれらの組成物中に存在する唯一の有機ポリマーであり、主にそれはポリエチレン（ＰＥ）またはポリプロピレン（ＰＰ）、特にＬＤＰＥ、ＬＬＤＰＥもしくはＰＰ、またはＰＰとＰＥのコポリマーである。
成分（ａ）として特に好ましいものは、熱可塑性（ポリ）オレフィンとして公知であるポリマー、例えばＥＰＲ等のような耐衝撃変性剤またはエラストマー成分を含むポリプロピレンまたはポリエチレン、あるいは不均一相コポリマーである（例えばW. Neissl等, Kunststoffe 83, No. 8, 1993を参照せよ）。
【００１６】
本発明の化合物が有効であるポリマー組成物の例は、ハロゲン化難燃剤の分解からの酸性残基がＮ−ＯＲ基を含まない立体障害性アミンを失活させる難燃性ポリオレフィン、殺生剤からの酸性残基が“通常の”立体障害性アミン安定剤の活性を妨害する屋根膜、温室フィルムおよび農業用根覆いフィルム、ならびに塩基性立体障害性アミン安定剤と顔料との作用が基材表面の塗装を妨害する、熱可塑性ポリオレフィンが含まれる。
【００１７】
好ましくは、本発明の成分ｃの化合物は、次式（ＩＩ）および／または（ＩＩＩ）
【化５】
0004114183.tif 000004
（式中、Ｇは水素原子またはメチル基を表わし、そしてＧ1およびＧ2は互いに独立して水素原子、メチル基または一緒になって置換基＝Ｏを表わす。）で表わされる基を含む、環式立体障害性アミンを表わす。
【００１８】
本発明の成分ｃの立体障害性アミンの例は、以下に種類（ａ’）ないし（ｍ’）に記載される。
（ａ’）次式（１ａ）
【化６】
0004114183.tif 000005
（式中、ｎ1は１ないし４の数であり、ＧおよびＧ1は互いに独立して水素原子またはメチル基を表わし、
Ｇ11はＯ・、ヒドロキシル基、炭素原子数１ないし１８のアルコキシ基、炭素原子数５ないし１２のシクロアルコキシ基、炭素原子数７ないし１５のフェニルアルコキシ基を表わすか、またはＧ11は、それぞれ脂肪族部分にＯＨ基１ないし３個により置換された、炭素原子数１ないし１８のアルコキシ基、炭素原子数５ないし１２のシクロアルコキシ基または炭素原子数７ないし１５のフェニルアルコキシ基を表わし、Ｇ11は好ましくは炭素原子数１ないし１２のアルコキシ基またはシクロヘキシルオキシ基または炭素原子数２ないし８のヒドロキシアルコキシ基、特にオクチルオキシ基、シクロヘキシルオキシ基または２−ヒドロキシ−２−メチルプロポキシ基を表わし、そして
ｎ1が１である場合、Ｇ12は水素原子、中断されていないか、または酸素原子、ＣＯＯおよび／またはＣＯＮＨ基の１個もしくはそれより多くにより中断された炭素原子数１ないし１８のアルキル基を表すか、またはシアノエチル基、ベンゾイル基、グリシジル基、脂肪族、脂環族、芳香脂肪族、不飽和もしくは芳香族カルボン酸、カルバミン酸またはリン含有酸の一価の基または一価シリル基、好ましくは炭素原子数２ないし１８の脂肪族カルボン酸、炭素原子数７ないし１５の脂環式カルボン酸、または炭素原子数３ないし５のα，β−不飽和カルボン酸の基、または炭素原子数７ないし１５の芳香族カルボン酸の基であって、それぞれのカルボン酸が脂肪族、脂環族または芳香族部分において−ＣＯＯＺ12基（式中、Ｚ12は水素原子、炭素原子数１ないし２０のアルキル基、炭素原子数３ないし１２のアルケニル基、炭素原子数５ないし７のシクロアルキル基、フェニル基またはベンジル基を表わす。）の１ないし３個により置換されていてもよいものを表わし、
ｎ1が２である場合、Ｇ12は炭素原子数２ないし１２のアルキレン基、炭素原子数４ないし１２のアルケニレン基、キシリレン基、脂肪族、脂環族、芳香脂肪族、芳香族ジカルボン酸、ジカルバミン酸またはリン含有酸の二価の基、二価のシリル基、好ましくは炭素原子数２ないし３６の脂肪族ジカルボン酸、炭素原子数８ないし１４の脂環式もしくは芳香族ジカルボン酸、または炭素原子数８ないし１４の脂肪族、脂環族もしくは芳香族ジカルバミン酸の基であって、それぞれのジカルボン酸が脂肪族、脂環族または芳香族部分で−ＣＯＯＺ12基の１個または２個により置換されていてもよいものを表わし、
ｎ1が３である場合、Ｇ12は脂肪族、脂環族または芳香族トリカルボン酸の三価の基であって、脂肪族、脂環族または芳香族部分で−ＣＯＯＺ12基により置換されていてもよいもの、芳香族トリカルバミン酸、またはリン含有酸を表わすか、または三価シリル基、ベンゼントリカルボン酸のニトリロ三酢酸のトリアシル基を含む好ましい基を表わし、
そしてｎ1が４である場合、Ｇ12は脂肪族、脂環族または芳香族テトラカルボン酸の四価の基を表わす。）で表わされる化合物。
【００１９】
上記カルボン酸基はそれぞれの場合において、式（−ＣＯ）xＲ（式中、ｘは上記でｎ1に関して定義された通りであり、そしてＲの意味は上記で与えられた定義から生じる。）の基を意味する。
炭素原子数２０までのアルキル基は、例えばメチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基またはｎ−オクタデシル基である。
【００２０】
炭素原子数１ないし１８のアルコキシ基としてのＧ11は、例えばメトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシロキシ基、ドデシルオキシ基、テトラデシルオキシ基、ヘキサデシルオキシ基およびオクタデシルオキシ基である。炭素原子数６ないし１２のアルコキシ基、特にヘプトキシ基およびオクトキシ基が好ましい。
炭素原子数５ないし１２のシクロアルコキシ基としてのＧ11は、例えばシクロペントキシ基、シクロヘキソキシ基、シクロヘプトキシ基、シクロオクトキシ基、シクロデシルオキシ基およびシクロドデシルオキシ基である。炭素原子数５ないし８のシクロアルコキシ基は、特にシクロペントキシ基およびシクロヘキソキシ基が好ましい。
炭素原子数７ないし９のフェニルアルコキシ基は、例えばベンジルオキシ基である。
【００２１】
脂肪族部分に１ないし３個のＯＨ基により置換された炭素原子数１ないし１８のアルコキシ基、炭素原子数５ないし１２のシクロアルコキシ基または炭素原子数７ないし１５のフェニルアルコキシ基としてのＧ11は、好ましくは２−メチル−２−プロパノール（第三ブタノール）、２−プロパノール、２，２−ジメチル−１−プロパノール、２−メチル−２−ブタノール、エタノール、１−プロパノール、１−ブタノール、１−ペンタノール、１−ヘキサノール、１−ノナノール、１−デカノール、１−ドデカノール、１−オクタデカノール、２−ブタノール、２−ペンタノール、２−エチル−１−ヘキサノール、シクロヘキサノール、シクロオクタノール、アリルアルコール、フェネチルアルコールまたは１−フェニル−１−エタノール、１，２−エタンジオール、１，２−プロパンジオール、１，３−プロパンジオール、１，２−ブタンジオール、１，３−ブタンジオール、１，４−ブタンジオール、２，２−ジメチル−１，３−プロパンジオール、１，２−シクロヘキサンジオール、１，３−シクロヘキサンジオールまたは１，４−シクロヘキサンジオール、グリセロール、１，１，１−トリス（ヒドロキシメチル）メタン、２−エチル−２−（ヒドロキシメチル−１，３−プロパンジオール）、１，２，４−ブタントリオールまたは１，２，６−ヘキサントリオールからの炭素結合水素原子の抽出により形成された基である。
【００２２】
より好ましくは、Ｇ11は２−メチル−２−プロパノールまたはシクロヘキサノール、１，４−ブタンジオール、２，２−ジメチル−１，３−プロパンジオール、１，２−シクロヘキサンジオール、１，３−シクロヘキサンジオールまたは１，４−シクロヘキサンジオールから形成される。最も好ましいヒドロキシ置換されたＧ11は、２−ヒドロキシ−２−メチルプロポキシ基である。
【００２３】
いくつかのＧ12基の例は、以下に与えられる。
Ｇ12がカルボン酸の一価の基である場合、それは例えばアセチル基、カプロイル基、ステアロイル基、アクリロイル基、メタクリロイル基、ベンゾイル基またはβ−（３，５−ジ−第三ブチル−４−ヒドロキシフェニル）プロピオニル基である。
Ｇ12が一価のシリル基である場合、それは例えば次式−（ＣjＨ2j）−Ｓｉ（Ｚ’）2Ｚ’’（式中、ｊは２ないし５の範囲の整数であり、そしてＺ’およびＺ’’は互いに独立して炭素原子数１ないし４のアルキル基または炭素原子数１ないし４のアルコキシ基）で表わされる基である。
【００２４】
Ｇ12がジカルボン酸の二価の基である場合、それは例えばマロニル基、スクシニル基、グルタリル基、アジポイル基、スベロイル基、セバコイル基、マレオイル基、イタコニル基、フタロイル基、ジブチルマロニル基、ジベンジルマロニル基、ブチル（３，５−ジ−第三ブチル−４−ヒドロキシベンジル）マロニル基またはビシクロヘプテンジカルボニル基または次式
【化７】
0004114183.tif 000006
で表わされる基である。
【００２５】
Ｇ12がトリカルボン酸の三価の基である場合、それは例えばトリメリトイル基、シトリル基またはニトリロトリアセチル基である。
Ｇ12がテトラカルボン酸の四価の基である場合、それは例えばブタン−１，２，３，４−テトラカルボン酸またはピロメリット酸の四価の基である。
Ｇ12がジカルバミン酸の二価の基である場合、それは例えばヘキサメチレンジカルバモイル基または２，４−トルイレンジカルバモイル基である。
好ましくは、式（１ａ）（式中、ＧおよびＧ1は水素原子を表わし、Ｇ11は水素原子またはメチル基を表わし、ｎ1は２であり、そしてＧ12は炭素原子数４ないし１２の脂肪族ジカルボン酸のジアシル基を表わす。）で表わされる化合物である。
【００２６】
（ｂ’）次式（１ｂ）
【化８】
0004114183.tif 000007
〔式中、ｎ2は１、２または３の数であり、そしてＧ、Ｇ1およびＧ11は（ａ’）で定義された通りであり、Ｇ13は水素原子、炭素原子数１ないし１２のアルキル基、炭素原子数２ないし５のヒドロキシアルキル基、炭素原子数５ないし７のシクロアルキル基、炭素原子数７または８のアラルキル基、炭素原子数１ないし１８のアルカノイル基、炭素原子数３ないし５のアルケノイル基、ベンゾイル基または次式
【化９】
0004114183.tif 000008
で表わされる基を表わし、
そしてｎ2が１である場合、Ｇ14は水素原子、炭素原子数１ないし１８のアルキル基、炭素原子数３ないし８のアルケニル基、炭素原子数５ないし７のシクロアルキル基、
ヒドロキシル基、シアノ基、アルコキシカルボニル基もしくはカルバミド基により置換された炭素原子数１ないし４のアルキル基、または式−ＣＯＮＨ−Ｚで表わされる基を表わすか、あるいはＧ14はグリシジル基、次式−ＣＨ2−ＣＨ(ＯＨ)−Ｚで表される基、または−ＣＯＮＨ−Ｚで表される基（式中、Ｚは水素原子、メチル基またはフェニル基を表わす。）を表わすか、あるいはＣＨ2−ＯＺ14（Ｚ14は水素原子または炭素原子数１ないし１８のアルキル基を表わす。）を表わし、
ｎ2が２である場合、Ｇ14は炭素原子数２ないし１２のアルキレン基、炭素原子数６ないし１２のアリーレン基、キシリレン基、−ＣＨ2−ＣＨ（ＯＨ）−ＣＨ2基または−ＣＨ2−ＣＨ（ＯＨ）−ＣＨ2−Ｏ−Ｄ−Ｏ−基（式中、Ｄは炭素原子数２ないし１０のアルキレン基、炭素原子数６ないし１５のアリーレン基、炭素原子数６ないし１２のシクロアルキレン基を表わす。）を表わすが、
ただしＧ13はアルカノイル基、アルケノイル基またはベンゾイル基を表わさず、代わりに、Ｇ14は１−オキソ−炭素原子数２ないし１２のアルキレン基、脂肪族、脂環族または芳香族ジカルボン酸あるいはジカルバミン酸の二価の基を表わすか、あるいは基−ＣＯ−を表わし、
ｎ2が３である場合、Ｇ14は次式
【化１０】
0004114183.tif 000009
で表わされる基を表わし、
あるいは、ｎ2が１である場合、Ｇ13およびＧ14は一緒になって脂肪族、脂環族または芳香族１，２−もしくは１，３−ジカルボン酸の二価の基を表わし得る。〕で表わされる化合物。
【００２７】
基Ｇ13、Ｇ14およびＤの幾つかの例を以下に示す。
アルキル置換基はいずれも上記（ａ’）で定義された通りである。
炭素原子数５ないし７のシクロアルキル置換基はいずれも、特にシクロヘキシル基である。
炭素原子数７または８のアラルキル基であるＧ13は、特にフェニルエチル基または特にベンジル基である。
炭素原子数２ないし５のヒドロキシアルキル基であるＧ13は、特に２−ヒドロキシエチル基または２−ヒドロキシプロピル基である。
炭素原子数１ないし１８のアルカノイル基であるＧ13は、例えばホルミル基、アセチル基、プロピオニル基、ブチリル基、オクタノイル基、ドデカノイル基、ヘキサデカノイル基、オクタデカノイル基であるが、好ましくはアセチル基であり、そして炭素原子数３ないし５のアルケノイル基であるＧ13は特にアクリロイル基である。
【００２８】
炭素原子数２ないし８のアルケニル基であるＧ14は、例えばアリル基、メタリル基、２−ブテニル基、２−ペンテニル基、２−ヘキセニル基または２−オクテニル基である。
ヒドロキシ−、シアノ−、アルコキシカルボニル−またはカルバミド−置換炭素原子数１ないし４のアルキル基としてのＧ14は、例えば２−ヒドロキシエチル基、２−ヒドロキシプロピル基、２−シアノエチル基、メトキシカルボニルメチル基、２−エトキシカルボニルエチル基、２−アミノカルボニルプロピル基または２−（ジメチルアミノカルボニル）エチル基である。
炭素原子数２ないし１２のアルキレン基は、例えばエチレン基、プロピレン基、２，２−ジメチルプロピレン基、テトラメチレン基、ヘキサメチレン基、オクタメチレン基、デカメチレン基またはドデカメチレン基である。
【００２９】
炭素原子数６ないし１５のアリーレン基はいずれも、例えばｏ−、ｍ−またはｐ−フェニレン基、１，４−ナフチレン基または４，４’−ジフェニレン基である。
炭素原子数６ないし１２のシクロアルキレン基は、特にシクロヘキシレン基である。
１−オキソ−炭素原子数２ないし１２のアルキレン基であるＧ14は好ましくは次式
【化１１】
0004114183.tif 000010
で表わされる基である。
【００３０】
（ｃ’）次式（１ｃ）
【化１２】
0004114183.tif 000011
（式中、ｎ3は数１または２であり、Ｇ、Ｇ1およびＧ11は（ａ’）で定義された通りであり、そしてｎ3が１である場合、Ｇ15およびＧ’15は独立して炭素原子数１ないし１２のアルキル基、炭素原子数２ないし１２のアルケニル基、炭素原子数７ないし１２のアラルキル基を表わすか、またはＧ15はまた水素原子を表わすか、あるいはＧ15およびＧ’15は一緒になって、炭素原子数２ないし８のアルキレン基、炭素原子数５ないし１５のアルケニレン基、炭素原子数２ないし８のヒドロキシアルキレン基または炭素原子数４ないし２２のアクリロオキシアルキレン基を表し、ｎ3が２である場合、Ｇ15およびＧ’15は一緒になって、（−ＣＨ2）2Ｃ（ＣＨ2−）2基を表わす。）で表わされる化合物。
炭素原子数２ないし８のアルキレン基または炭素原子数２ないし８のヒドロキシアルキレン基であるＧ15およびＧ’15は、例えばエチレン基、１−メチルエチレン基、プロピレン基、２−エチルプロピレン基または２−エチル−２−ヒドロキシメチルプロピレン基である。
【００３１】
（ｄ’）次式（１ｄ−１）、（１ｄ−２）または（１ｄ−３）
【化１３】
0004114183.tif 000012
〔式中、ｎ4は数１または２であり、Ｇ、Ｇ1およびＧ11は（ａ’）で定義された通りであり、
Ｇ16は水素原子、炭素原子数１ないし１２のアルキル基、アリル基、ベンジル基、グリシジル基または炭素原子数２ないし６のアルコキシアルキル基を表わし、そしてｎ4が１である場合、Ｇ17は水素原子、炭素原子数１ないし１２のアルキル基、炭素原子数３ないし５のアルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基または次式−（ＣＨ2）p−ＣＯＯ−Ｑまたは−（ＣＨ2）p−Ｏ−ＣＯ−Ｑ（式中、ｐは１または２であり、そしてＱは炭素原子数１ないし４のアルキル基またはフェニル基を表わす。）を表わし、そしてｎ4が２である場合、Ｇ17は炭素原子数２ないし１２のアルキレン基、炭素原子数４ないし１２のアルケニレン基、炭素原子数６ないし１２のアリーレン基、次式−ＣＨ2−ＣＨ（ＯＨ）−ＣＨ2−Ｏ−Ｄ’−Ｏ−ＣＨ2−ＣＨ（ＯＨ）−ＣＨ2−（式中、Ｄ’は炭素原子数２ないし１０のアルキレン基、炭素原子数６ないし１５のアリーレン基または炭素原子数６ないし１２のシクロアルキレン基を表わす。）で表わされる基、または次式−ＣＨ2ＣＨ（ＯＤ’’）ＣＨ2−（ＯＣＨ2−ＣＨ（ＯＤ’’）ＣＨ2）2−（式中、Ｄ’’は水素原子、炭素原子数１ないし１８のアルキル基、アリル基、ベンジル基、炭素原子数２ないし１２のアルカノイル基またはベンゾイル基を表わす。）で表わされる基を表わし、
Ｔ1およびＴ2は互いに独立して水素原子、炭素原子数１ないし１８のアルキル基、あるいは未置換の、またはハロゲン−もしくは炭素原子数１ないし４のアルキル−置換炭素原子数６ないし１０のアリール基または炭素原子数７ないし９のアラルキル基を表わすか、あるいは
Ｔ1およびＴ2は、それらが結合している炭素原子と一緒になって炭素原子数５ないし１４のシクロアルカン環を形成する。〕で表わされる化合物。
【００３２】
炭素原子数１ないし１２のアルキル置換基はいずれも、例えばメチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基またはｎ−ドデシル基である。
炭素原子数１ないし１８のアルキル置換基はいずれも、例えば上記群のもの、およびそれに加えて例えばｎ−トリデシル基、ｎ−テトラデシル基、ｎ−ヘキサデシル基またはｎ−オクタデシル基であり得る。
炭素原子数２ないし６のアルコキシアルキル置換基は、例えばメトキシメチル基、エトキシメチル基、プロポキシメチル基、第三ブトキシメチル基、エトキシエチル基、エトキシプロピル基、ｎ−ブトキシエチル基、第三ブトキシエチル基、イソプロポキシエチル基またはプロポキシプロピル基である。
【００３３】
炭素原子数３ないし５のアルケニル基であるＧ17は、例えば１−プロペニル基、アリル基、メタリル基、２−ブテニル基または２−ペンテニル基である。
炭素原子数７ないし９のアラルキル基であるＧ17、Ｔ1およびＴ2は、特にフェネチル基または特にベンジル基である。Ｔ1およびＴ2が炭素原子と一緒になってシクロアルカン環を形成する場合、これは例えばシクロペンタン、シクロヘキサン、シクロオクタンまたはシクロドデカン環であり得る。
炭素原子数２ないし４のヒドロキシアルキル基であるＧ17は、例えば２−ヒドロキシエチル基、２−ヒドロキシプロピル基、２−ヒドロキシブチル基または４−ヒドロキシブチル基である。
【００３４】
炭素原子数６ないし１０のアリール基であるＧ17、Ｔ1およびＴ2は特に、未置換の、またはハロゲン原子もしくは炭素原子数１ないし４のアルキル基により置換されたフェニル基またはα−もしくはβ−ナフチル基である。
炭素原子数２ないし１２のアルキレン基であるＧ17は、例えばエチレン基、プロピレン基、２，２−ジメチルプロピレン基、テトラメチレン基、ヘキサメチレン基、オクタメチレン基、デカメチレン基またはドデカメチレン基である。
炭素原子数４ないし１２のアルケニレン基であるＧ17は、特に２−ブテニレン基、２−ペンテニレン基または３−ヘキセニレン基である。
【００３５】
炭素原子数６ないし１２のアリーレン基であるＧ17は、例えばｏ−、ｍ−またはｐ−フェニレン基、１，４−ナフチレン基または４，４’−ジフェニレン基である。
炭素原子数２ないし１２のアルカノイル基であるＤ’’は、例えばプロピオニル基、ブチリル基、オクタノイル基、ドデカノイル基であるが、好ましくはアセチル基である。
炭素原子数２ないし１０のアルキレン基、炭素原子数６ないし１５のアリーレン基または炭素原子数６ないし１２のシクロアルキレン基であるＤ’は、例えば（ｂ’）においてＤに関して与えられた定義の一つを有する。
【００３６】
（ｅ’）次式（１ｅ）
【化１４】
0004114183.tif 000013
｛式中、ｎ5は数１または２であり、そしてＧ18は次式
【化１５】
0004114183.tif 000014
または
【化１６】
0004114183.tif 000015
〔式中、ＧおよびＧ11は（ａ’）において定義された通りであり、そしてＧ1およびＧ2は水素原子、メチル基を表わすか、または一緒になって置換基＝Ｏを表わし、
Ｅは−Ｏ−または−ＮＤ’’’−を表わし、
Ａは炭素原子数２ないし６のアルキレン基または−（ＣＨ2）3−Ｏ−を表わし、そして
ｘ1は数０または１であり、
Ｄ’’’は水素原子、炭素原子数１ないし１２のアルキル基、炭素原子数２ないし１２のアルキレン−Ｎ（Ｄv）2、炭素原子数２ないし５のヒドロキシアルキル基または炭素原子数５ないし７のシクロアルキル基（式中、Ｄvは独立して水素原子またはブチル基を表わす。）を表わす。〕で表わされる基を表わし、
Ｇ19はＧ18と同一であるか、あるいは基−Ｎ（Ｇ21）（Ｇ22）、−ＯＧ23、−Ｎ（Ｈ）（ＣＨ2ＯＧ23）または−Ｎ（ＣＨ2ＯＧ23）2の一つを表わし、
Ｇ20は、ｎ5が１である場合、Ｇ18またはＧ19と同一であり、そしてｎ5が２である場合、−Ｅ−ＤIV−Ｅ−基（式中、ＤIVは炭素原子数２ないし８のアルキレン基、または１個もしくは２個の−ＮＧ21−基により中断された炭素原子数２ないし８のアルキレン基を表わす。）を表わし、
Ｇ21は水素原子、炭素原子数１ないし１２のアルキル基、シクロヘキシル基、ベンジル基または炭素原子数１ないし４のヒドロキシアルキル基または次式
【化１７】
0004114183.tif 000016
または
【化１８】
0004114183.tif 000017
で表わされる基を表わし、
Ｇ22は炭素原子数１ないし１２のアルキル基、シクロヘキシル基、ベンジル基または炭素原子数１ないし４のヒドロキシアルキル基を表わし、そして
Ｇ23は水素原子、炭素原子数１ないし１２のアルキル基またはフェニル基を表わすか、またはＧ21およびＧ22は一緒になって炭素原子数４ないし５のアルキレン基または炭素原子数４ないし５のオキサアルキレン基、例えば−ＣＨ2ＣＨ2−Ｏ−ＣＨ2ＣＨ2−、または次式−ＣＨ2ＣＨ2−Ｎ（Ｇ11）−ＣＨ2ＣＨ2−で表わされる基を表わす。｝で表わされる化合物。
【００３７】
式（１ｅ）における幾つかの変数の幾つかの例は、以下に与えられる。
炭素原子数１ないし１２のアルキル置換基はいずれも、例えばメチル基、エチル基、ｎ−プロピル基、ｎ−ブチル基、第二ブチル基、第三ブチル基、ｎ−ヘキシル基、ｎ−オクチル基、２−エチルエキシル基、ｎ−ノニル基、ｎ−デシル基、ｎ−ウンデシル基またはｎ−ドデシル基である。
ヒドロキシアルキル置換基はいずれも、例えば２−ヒドロキシエチル基、２−ヒドロキシプロピル基、３−ヒドロキシプロピル基、２−ヒドロキシブチル基または４−ヒドロキシブチル基である。
【００３８】
炭素原子数５ないし７のシクロアルキル置換基はいずれも、例えばシクロペンチル基、シクロヘキシル基またはシクロヘプチル基である。シクロヘキシル基が好ましい。
炭素原子数２ないし６のアルキレン基Ａは、例えばエチレン基、プロピレン基、２，２−ジメチルプロピレン基、テトラメチレン基またはヘキサメチレン基である。
Ｇ21およびＧ22が一緒になって炭素原子数４ないし５のアルキレン基またはオキサアルキレン基を表わす場合、それらは例えばテトラメチレン基、ペンタメチレン基または３−オキサペンタメチレン基である。
【００３９】
（ｆ’）次式（１ｆ）
【化１９】
0004114183.tif 000018
（式中、Ｇ11は（ａ’）において定義された通りである。）で表わされる化合物。
【００４０】
（ｇ’）繰り返し構造単位が２，２，６，６−テトラアルキルピペリジニル基を含むオリゴマー性またはポリマー性化合物、特にそのような基を含むポリエステル、ポリエーテル、ポリアミド、ポリアミン、ポリウレタン、ポリ尿素、ポリアミノトリアジン、ポリ（メタ）アクリレート、ポリ（メタ）アクリルアミドおよびそれらのコポリマー。
この種類からの２，２，６，６−ポリアルキルピペリジン化合物の例は、以下の式で表わされる化合物である。ｍ1ないしｍ14は２ないし約２００、好ましくは２ないし１００、例えば２ないし５０、２ないし４０、３ないし４０または４ないし１０の数である。
【００４１】
以下に列挙された、オリゴマー性またはポリマー性化合物における遊離原子価を飽和する末端基の意味は、該化合物の製造のために使用された方法に依存する。加えて、末端基はまた化合物の合成後にも変性され得る。
ポリマー化合物の例は以下の通りである。
１）次式（１ｇ）
【化２０】
0004114183.tif 000019
（式中、Ｇ24、Ｇ25、Ｇ26、Ｇ27およびＧ28は互いに独立して直接結合または炭素原子数１ないし１０のアルキレン基を表わし、Ｇ11は（ａ’）において定義された通りであり、そしてｍ17は１ないし５０の数である。）で表わされる化合物。
式（１ｇ）で表わされる化合物において、＞Ｃ＝Ｏに結合した末端基は例えば
【化２１】
0004114183.tif 000020
であり得、そして酸素原子に結合した末端基は例えば
【化２２】
0004114183.tif 000021
であり得る。
【００４２】
２）次式（２ｇ）
【化２３】
0004114183.tif 000022
〔式中、指数ｍ18は１ないし１５の範囲であり、
Ｒ12は炭素原子数２ないし１２のアルキレン基、炭素原子数４ないし１２のアルケニレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基あるいは１，４−ピペラジンジイル基、−Ｏ−または＞Ｎ−Ｘ1（式中、Ｘ1は炭素原子数１ないし１２のアシル基もしくは（炭素原子数１ないし１２のアルコキシ）カルボニル基を表わすか、または以下に与えられるＲ14の定義の一つであって水素原子を除くものを有する。）により中断された炭素原子数４ないし１２のアルキレン基を表わすか、またはＲ12は次式（２ｇ’）または（２ｇ’’）
【化２４】
0004114183.tif 000023
（式中、Ｘ2は、炭素原子数１ないし１８のアルキル基、未置換の、または炭素原子数１ないし４のアルキル基の１、２もしくは３個により置換された炭素原子数５ないし１２のシクロアルキル基、未置換の、または炭素原子数１ないし４のアルキル基もしくは炭素原子数１ないし４のアルコキシ基の１、２もしくは３個により置換されたフェニル基を表わし、そして
基Ｘ3は互いに独立して炭素原子数２ないし１２のアルキレン基を表わす。）で表わされる基を表わし、
基Ａは互いに独立して−ＯＲ13、−Ｎ（Ｒ14）（Ｒ15）または次式（２ｇ’’’）
【化２５】
0004114183.tif 000024
で表わされる基を表わし、
Ｒ13、Ｒ14およびＲ15は同一であるか、または異なっており、水素原子、炭素原子数１ないし１８のアルキル基、
未置換の、または炭素原子数１ないし４のアルキル基１、２または３個により置換された炭素原子数５ないし１２のシクロアルキル基、
炭素原子数３ないし１８のアルケニル基、
未置換の、または炭素原子数１ないし４のアルキル基もしくは炭素原子数１ないし４のアルコキシ基１，２または３個により置換されたフェニル基、
未置換の、またはフェニル基上で炭素原子数１ないし４のアルキル基１、２または３個により置換された炭素原子数７ないし９のフェニルアルキル基、
テトラヒドロフルフリル基、または２、３もしくは４位で−ＯＨ、炭素原子数１ないし８のアルコキシ基、ジ（炭素原子数１ないし４のアルキル）アミノ基または次式（２ｇIV）
【化２６】
0004114183.tif 000025
（式中、Ｙは−Ｏ−、−ＣＨ2−、−ＣＨ2ＣＨ2−または＞Ｎ−ＣＨ3を表わす。）で表わされる基により置換された基を表わすか、または
−Ｎ（Ｒ14）（Ｒ15）は付加的に式（２ｇIV）で表わされる基を表わし、
Ｘは−Ｏ−または＞Ｎ−Ｒ16を表わし、
Ｒ16は水素原子、炭素原子数１ないし１８のアルキル基、炭素原子数３ないし１８のアルケニル基、
未置換の、または炭素原子数１ないし４のアルキル基の１，２もしくは３個により置換された炭素原子数５ないし１２のシクロアルキル基、
未置換の、またはフェニル基上で炭素原子数１ないし４のアルキル基の１，２もしくは３個により置換された炭素原子数７ないし９のフェニルアルキル基、テトラヒドロフルフリル基、次式（２ｇV）
【化２７】
0004114183.tif 000026
で表わされる基、または２、３もしくは４位で−ＯＨ、炭素原子数１ないし８のアルコキシ基、ジ（炭素原子数１ないし４のアルキル）アミノ基または式（２ｇIV）で表わされる基により置換された炭素原子数２ないし４のアルキル基を表わし、
Ｒ11はＲ16に関して与えられた定義の一つを有し、そして
基Ｂは互いに独立してＡに関して与えられた定義の一つを有する。〕で表わされる化合物。
【００４３】
３）式（３ｇ）
【化２８】
0004114183.tif 000027
〔式中、Ｇ11は（ａ’）において定義された通りであり、Ｇ29およびＧ32は互いに独立して直接結合、または−Ｎ（Ｘ1）−ＣＯ−Ｘ2−ＣＯ−Ｎ（Ｘ3）−（式中、Ｘ1およびＸ3は互いに独立して水素原子、炭素原子数１ないし８のアルキル基、炭素原子数５ないし１２のシクロアルキル基、フェニル基、炭素原子数７ないし９のフェニルアルキル基または次式
【化２９】
0004114183.tif 000028
で表わされる基を表わし、そしてＸ2は直接結合または炭素原子数１ないし４のアルキレン基を表わす。）で表わされる基を表わし、
Ｇ30、Ｇ31、Ｇ34およびＧ35は互いに独立して水素原子、炭素原子数１ないし３０のアルキル基、炭素原子数５ないし１２のシクロアルキル基またはフェニル基を表わし、
Ｇ33は水素原子、炭素原子数１ないし３０のアルキル基、炭素原子数５ないし１２のシクロアルキル基、炭素原子数７ないし９のフェニルアルキル基、フェニル基または式（３ｇ）で表わされる基を表わし、そして
ｍ19は１ないし５０の数である。〕で表わされる化合物。
【００４４】
式（３ｇ）で表わされる化合物において、２，５−ジオキソプロリジン環に結合している末端基は例えば水素原子であり得、そして−Ｃ（Ｇ34）（Ｇ35）−基に結合している末端基は例えば
【化３０】
0004114183.tif 000029
または
【化３１】
0004114183.tif 000030
であり得る。
【００４５】
４）次式（４ｇ）
【化３２】
0004114183.tif 000031
（式中、ｍ’20、ｍ’’20およびｍ’’’20は互いに独立して数２ないし１２である。）で表わされるポリアミンと塩化シアヌルとの反応により得られた中間体生成物を、次式（４ｇ’）
【化３３】
0004114183.tif 000032
（式中、Ｇ36は水素原子、炭素原子数１ないし１２のアルキル基、炭素原子数５ないし１２のシクロアルキル基、フェニル基または炭素原子数７ないし９のフェニルアルキル基を表わし、そしてＧ11は（ａ’）において定義された通りである。）で表わされる化合物と反応させることにより得られる生成物。
【００４６】
一般的に、上記反応生成物は例えば以下の三式
【化３４】
0004114183.tif 000033
で表わされる化合物により表わされる。それはまた、これらの３種の化合物の混合物の形態でもあり得る。
【００４７】
５）式（５ｇ）
【化３５】
0004114183.tif 000034
（式中、Ｇ11は（ａ’）において定義された通りであり、Ｇ37は炭素原子数１ないし１０のアルキル基、炭素原子数５ないし１２のシクロアルキル基、炭素原子数１ないし４のアルキル置換炭素原子数５ないし１２のシクロアルキル基、フェニル基または炭素原子数１ないし１０のアルキル置換フェニル基を表わし、Ｇ38は炭素原子数３ないし１０のアルキレン基を表わし、そしてｍ21は１ないし５０の数である。）で表わされる化合物。
式（５ｇ）で表わされる化合物において、ケイ素原子に結合した末端基は例えば（Ｇ37）3Ｓｉ−Ｏ−であり得、そして酸素原子に結合した末端基は例えば−Ｓｉ（Ｇ37）3であり得る。
式（５ｇ）で表わされる化合物はまた、ｍ21が３ないし１０の数である場合、環式化合物の形態でもあり得、例えば構造式に示された遊離原子価が直接結合を形成する。
【００４８】
６）次式（６ｇ）
【化３６】
0004114183.tif 000035
［式中、Ｅは（ｅ´）の下で定義された−Ｏ−または−ＮＤ”’−を表し、Ｔ3はエチレン基または１，２−プロピレン基を表し、α−オレフィンコポリマーからアルキルアクリレートまたはメタクリレートで誘導された反復単位であり、好ましくはエチレンおよびエチルアクリレートのコポリマーを表し、そしてｋは２ないし１００を表す。］で表される化合物。
【００４９】
７）次式（７ｇ）
【化３７】
0004114183.tif 000036
［式中、ｍは１ないし１００を表し、
Ｇ50は、１ないし１８個の炭素原子数の直鎖または分岐鎖のアルキレン基、５ないし８個の炭素原子数のシクロアルキレン基、５ないし８個の炭素原子数のシクロアルケニレン基、３ないし１８個の炭素原子数のアルケニレン基、フェニル基によって置換されるかまたは一つまたは二つの１ないし４個の炭素原子数のアルキル基によって置換されたフェニル基によって置換された１ないし４個の炭素原子数の直鎖または分岐鎖のアルキレン基を表すが、但し、式（７ｇ）中、連続する立体障害性アミン部分はヘッド−トゥー−ヘッド様式またはヘッド−トゥー−テイル様式のいずれかで配向されることができ、
Ｔ4は水素原子を表すか、または
Ｔ4は
【化３８】
0004114183.tif 000037
を表し、
Ｇ55は、１ないし１８個の炭素原子数の直鎖または分岐鎖のアルキレン基、５ないし８個の炭素原子数のシクロアルキレン基またはシクロアルケニレン基、フェニレン基、５−アミノ−１−アミノメチル−１，３，３−トリメチルシクロヘキサン基および−ＮＨ−キシレン−ＮＨ−基を含む２ないし１８個の炭素原子数の−ＮＨ−アルキレン−ＮＨ−基を表し、
Ｔ5は、１ないし４の炭素原子数のアルキル基、
【化３９】
0004114183.tif 000038
または
【化４０】
0004114183.tif 000039
を表す。］で表される化合物。
【００５０】
上記のオリゴマー性およびポリマー性化合物において、
アルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基およびドコシル基であり、
シクロアルキル基の例は、シクロペンチル基、シクロヘキシル基、シクロヘプチル基およびシクロオクチル基であり、
炭素原子数７ないし９のフェニルアルキル基の例は、ベンジル基であり、そしてアルキレン基の例は、エチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基およびデカメチレン基である。
【００５１】
（ｈ’）次式（１ｈ）
【化４１】
0004114183.tif 000040
［式中、
ｎ6は数１または２を表し、ＧおよびＧ11は（ａ´）の下で定義されたものを表し、そしてＧ14は（ｂ´）の下で定義されたものを表すが、しかしＧ14は−ＣＯＮＨ−Ｚおよび−ＣＨ2−ＣＨ（ＯＨ）−ＣＨ2−Ｏ−Ｄ−Ｏ−を表すことができない。］で表される化合物。
【００５２】
（ｉ’）次式（１ｉ）
【化４２】
0004114183.tif 000041
［式中、基Ｇ39は、互いに独立して、次式（１ｉ−１）
【化４３】
0004114183.tif 000042
（式中、Ｇ40は、炭素原子数１ないし１２のアルキル基または炭素原子数５ないし１２のシクロアルキル基を表し、Ｇ41は炭素原子数２ないし１２のアルキレン基を表し、そしてＧ42は上記のＧ11について定義されたものを表す。)を表す。］で表される化合物。
【００５３】
アルキル基は例えば、炭素原子数１ないし４のアルキル基、特にメチル基、エチル基、プロピル基またはブチル基である。
シクロアルキル基は好ましくはシクロヘキシル基である。
アルキレン基は例えば、エチレン基、プロピレン基、トリメチレン基、テトラメチレン基、ペンタメチレン基、２，２−ジメチルトリメチレン基またはヘキサメチレン基である。
アルケニル基は好ましくはアリル基である。
フェニルアルキル基は好ましくはベンジル基である。
アシル基は好ましくはアセチル基である。
【００５４】
（ｊ´）次式（１ｊ）
【化４４】
0004114183.tif 000043
［式中、Ｇ、Ｇ11は上記で定義されたものを表し、そして
ｎ7が１を表すとき、Ｔ7は、水素原子、炭素原子数１ないし１２のアルキル基、炭素原子数３ないし５のアルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基、次式−（ＣＨ2）t−ＣＯＯ−Ｑまたは次式−（ＣＨ2）t−Ｏ−ＣＯ−Ｑ（式中、ｔは１または２を表し、そしてＱは炭素原子数１ないし４のアルキル基またはフェニル基を表す。）で表される基を表すか、または
ｎ7が２を表すとき、Ｔ7は、炭素原子数２ないし１２のアルキレン基、炭素原子数６ないし１２のアリーレン基、基−ＣＨ2ＣＨ（ＯＨ）−ＣＨ2−Ｏ−Ｘ−Ｏ−ＣＨ2−ＣＨ（ＯＨ）−ＣＨ2−（式中、Ｘは炭素原子数２ないし１０のアルキレン基、炭素原子数６ないし１５のアリーレン基または炭素原子数６ないし１２のシクロアルキレン基を表す。）、または基−ＣＨ2ＣＨ（ＯＺ’）ＣＨ2−（ＯＣＨ2−ＣＨ（ＯＺ’）ＣＨ2）2−（式中、Ｚ’は水素原子、炭素原子数１ないし１８のアルキル基、アリル基、ベンジル基、炭素原子数２ないし１２のアルカノイル基またはベンゾイル基を表す。）を表す。］で表される化合物。
【００５５】
（Ｋ´）次式（１ｋ）
【化４５】
0004114183.tif 000044
（式中、Ｇ、Ｇ11は上記で定義されたものを表す。)で表される化合物。
【００５６】
（ｌ´）次式（１ｌ）
【化４６】
0004114183.tif 000045
（式中、Ｇ、Ｇ11は上記で定義されたものを表す。)で表される化合物。
【００５７】
（ｍ´）次式（１ｍ）
【化４７】
0004114183.tif 000046
［式中、Ｇは上記で定義されたものを表し、ｎ8は１、２または３を表し、
ｎ8が１を表す場合、Ｇ51は−Ｇ50−Ｏ−ＣＯ−Ｇ56を表し、Ｇ52は−Ｏ−ＣＯ−Ｇ56を表し、そしてＧ53は水素原子を表し、ここでＧ56は、１ないし１８個の炭素原子数のアルキル基もしくは−ＮＨ−アルキル基または５ないし８個の炭素原子数の−ＮＨ−シクロアルキル基を表し、
ｎ8が２を表す場合、Ｇ51は、１ないし１８個の炭素原子数のアルキレン基、３ないし１８個の炭素原子数のヒドロキシアルキレン基、５ないし８個の炭素原子数のシクロアルキレン基、５ないし８個の炭素原子数のシクロアルケニレン基もしくはヒドロキシシクロアルキレン基、３ないし１８個の炭素原子数のアルケニレン基、またはフェニル基によって置換されるかまたは一つまたは二つの１ないし４個の炭素原子数のアルキル基によって置換された１ないし４個の炭素原子数の直鎖または分岐鎖のアルキレン基もしくは２ないし４個の炭素原子数のヒドロキシアルキレン基を表すか、またはＧ51は、脂肪族、環式脂肪族、芳香脂肪族または芳香族のジカルボン酸のまたはジカルバミン酸の二価アシル基、好ましくは２ないし１８個の炭素原子を有する脂肪族ジカルボン酸の、８ないし１４個の炭素原子を有する環式脂肪族または芳香族ジカルボン酸のアシル基を表し、
ｎ8が３を表す場合、Ｇ51は、１ないし１８個の炭素原子数のアルカントリイル基、３ないし１８個の炭素原子数のヒドロキシアルカントリイル基、５ないし８個の炭素原子数のシクロアルカントリイル基、５ないし８個の炭素原子数のシクロアルケントリイル基、３ないし１８個の炭素原子数のアルケントリイル基、フェニル基によって置換されるかまたは一つまたは二つの１ないし４個の炭素原子数のアルキル基によって置換された１ないし４個の炭素原子数の直鎖または分岐鎖のアルカントリイル基を表し、
ｎ8が２または３を表す場合、
Ｇ52は、−Ｏ−Ｇ12、−Ｎ（Ｇ13）Ｇ14、−Ｏ−Ｇ15、−ＣＯＯ−Ｔ7を表すか、次式
【化４８】
0004114183.tif 000047
【化４９】
0004114183.tif 000048
で表される一つの基を表し、そして
Ｇ53は水素原子を表すか、または、Ｇ52が−Ｏ−Ｇ15を表す場合、−Ｏ−Ｇ´15を表すか、または
Ｇ52およびＧ53は一緒になって、＝Ｏ、または次式
【化５０】
0004114183.tif 000049
（式中、Ｇ11およびＧ12は、ｎ1が１を表す場合に（ａ´）の下で上記で定義されたものを表し、Ｇ13およびＧ14は、ｎ2が１を表す場合に（ｂ´）の下で上記で定義されたものを表し、Ｇ15およびＧ´15は、ｎ3が１を表す場合に（ｃ´）の下で上記で定義されたものを表し、Ｇ18、Ｇ19、Ａ、Ｅ、ＤIV、ｘ1は、（ｅ´）の下で上記で定義されたものを表し、Ｔ7は、ｎ7が１を表す場合に（ｊ´）の下で上記で定義されたものを表し、Ｇ54は、ｎ1が２を表す場合に（ａ´）の下でＧ12について定義されたものを表し、Ｇ55は、ｎ2が２を表す場合に（ｂ´）の下でＧ14について定義されたものを表し、Ｇ56は、ｎ7が２を表す場合に（ｊ´）の下でＴ7について定義されたものを表す。）で表される基を表す。］で表される化合物。
【００５８】
特に技術的に重要なのは、Ｅ1が好ましくは炭素原子数１ないし１８のアルキル基、炭素原子数５ないし１２のシクロアルキル基または炭素原子数７ないし１５のアラルキル基であって、各々が脂肪族部分において１ないし３個のＯＨ基、特に１個のＯＨ基によって置換されているヒドロキシヒドロカルビルオキシアミン類の立体障害性アミン光安定剤である。
【００５９】
それ故、本発明はまた、
ａ）ポリオレフィン、
ｂ）ｂ１）メラミンをベースとする難燃剤および／またはアンモニウムポリホスフェート、
ｂ２）ビス−（ヘキサクロロシクロペンタジエノ）シクロオクタン、
ｂ３）トリス−（２，３−ジブロモプロピル）−イソシアヌレート、
ｂ４）エチレン−ビスーテトラブロモフタルイミドから選択された難燃剤、ならびに
ｃ）ヒドロキシヒドロカルビルオキシアミン類の立体障害性アミン光安定剤
を含む光および耐候の有害な効果に対して安定化された難燃性組成物に関する。
【００６０】
さらに、本発明は、光安定性および難燃性を熱可塑性ポリマーに付与する方法であって、前記ポリマーに、難燃剤トリス−（２，３−ジブロモプロピル）−イソシアヌレートおよびヒドロカルビルオキシアミンまたはヒドロキシヒドロカルビルオキシアミン類の立体障害性アミン光安定剤の組み合わせを添加することからなる方法に関する。
ａ）ポリオレフィン、
ｂ）難燃剤としてのトリス−（２，３−ジブロモプロピル）−イソシアヌレート、および
ｃ）ヒドロカルビルオキシアミンまたはヒドロキシヒドロカルビルオキシアミン類の立体障害性アミン光安定剤
を含む難燃性および光安定化組成物は、本発明の他の好ましい対象である。
【００６１】
新規な方法および新規な組成物における好ましい成分ａおよびｂの量は、上記されたものである。
【００６２】
本発明の成分ｂおよびｃならびに所望によるさらなる成分は、慣用の技術により、それから成形品を製造する前のいずれかの都合の良い段階でポリマーに容易に混入され得る。例えば、添加剤は乾燥粉末形態でポリマーと混合されることができるか、安定剤の懸濁液または乳液がポリマーの溶液、懸濁液または乳液と混合され得る。添加剤は、成分（ａ）に、個々にまたは互いに混合して添加され得る。所望により、個々の成分は安定化される材料への混入の前に、溶融物で互いに混合（溶融ブレンド）されることができる。成分ｂおよびおよび／またはｃならびに所望によるさらなる添加剤は、例えば、成形の前もしくは後に、または溶解もしくは分散した安定剤混合物を安定化される材料に、引き続く溶媒の蒸発を伴ってまたは伴わずに塗布することによって混入され得る。成分ｂおよび／またはｃの添加剤ならびにさらなる添加剤はまた、安定化される材料に、これらの成分を例えば約２．５重量％ないし約２５重量％含有するマスターバッチの形態で添加されることもでき、そのような操作において、ポリマーは、粉末、顆粒、溶液、懸濁液の形態で、またはラテックスの形態で使用されることができる。
【００６３】
混入は、成形操作の前または間に、または溶解もしくは分散した化合物をポリマーに、引き続く溶媒の蒸発を伴ってまたは伴わずに塗布することによって行われることができる。エラストマーの場合、これらはまたラテックスとして安定化されることもできる。本発明の安定剤をポリマーに配合するためのさらなる可能性は、対応するモノマーの重合の前、間または直後にそれらを添加することである。重合の前または間の添加の場合、本発明の安定剤はまた、ポリマーの鎖長調節剤（連鎖停止剤）として作用することもできる。
【００６４】
本発明の成分ｂおよびｃは、以下の方法によって賢明に混入されることができる：
−乳液または分散液として（例えば、ラテックスまたは乳液ポリマー）、
−さらなる成分またはポリマー混合物の混入の間に乾燥混合物として、
−加工装置（例えば、押出機、密閉式ミキサー等）中への直接導入によって、
−溶液または溶融物として。
【００６５】
本発明の成分ｂおよびｃの添加剤組み合わせは、多くの用途、特に以下を含む屋外用途のために有用である。
熱可塑性オレフィン（ＴＰＯ）、例えば彩色熱可塑性オレフィン
ポリプロピレン成形品
ポリエチレンフィルム
臭化難燃剤を有する成形ポリプロピレン
臭化難燃剤を有する成形熱可塑性オレフィン
臭化難燃剤を有するポリエチレンフィルム
他の補助安定剤を有する熱可塑性エラストマー
グリス充填されたワイヤおよびケーブル絶縁材
プラスチック品上のコーティング
化学物質を含むポリオレフィンタンクまたは容器
防曇剤を有するポリオレフィンフィルム
ヒドロタルサイト、例えばＤＨＴ４ＡのようなＩＲ熱充填剤を有するポリオレフィンフィルム
帯電防止剤を有するポリオレフィンフィルム
耐燃性成形ポリプロピレン品
耐燃性成形熱可塑性オレフィン
耐燃性ポリエチレンフィルム
プラスチック品への積層のための予備発泡フィルム
電気器具
貯蔵および運搬のための容器、箱、ビン
自動車用途、例えばダッシュボード、バックボード
家具、例えばスタジアムシート、公共シート
屋根シート
屋根部材
床剤
ライナー
異形材、特に窓およびドア異形材
ジオメンブラン
【００６６】
本明細書に記載される安定剤を含有する材料は、成形品、押出品、回転成形品、射出成形品、吹込み成形品、単層および多層フィルム、押出異形材、表面コーティング等のために使用されることができる。
【００６７】
本発明の得られる安定化組成物はまた所望により、以下に列挙される材料またはそれらの混合物のような様々な慣用の添加剤を、成分（ａ）の好ましくは０．０１ないし１０重量％、より好ましくは約０．０２５ないし２重量％、また特に約０．１ないし約１重量％の量で含有することもできる。
【００６８】
１．酸化防止剤
１．１．アルキル化モノフェノール
例えば、２，６−ジ第三ブチル−４−メチルフェノール、２−第三ブチル−４，６−ジメチルフェノール、２，６−ジ第三ブチル−４−エチルフェノール、２，６−ジ第三ブチル−４−ｎ−ブチルフェノール、２，６−ジ第三ブチル−４−イソブチルフェノール、２，６−ジシクロペンチル−４−メチルフェノ−ル、２−（α−メチルシクロヘキシル）−４，６−ジメチルフェノール、２，６−ジオクタデシル−４−メチルフェノ−ル、２，４，６−トリシクロヘキシルフェノール、２，６−ジ第三ブチル−４−メトキシメチルフェノール、側鎖が直鎖状または分岐鎖状であるノニルフェノール、例えば、２，６−ジノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノールおよびそれらの混合物。
【００６９】
１．２．アルキルチオメチルフェノール
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジドデシルチオメチル−４−ノニルフェノール。
【００７０】
１．３．ヒドロキノンおよびアルキル化ヒドロキノン
例えば、２，６−ジ第三ブチル−４−メトキシフェノール、２，５−ジ第三ブチルヒドロキノン、２，５−ジ第三アミルヒドロキノン、２，６−ジフェニル−４−オクタデシルオキシフェノール、２，６−ジ第三ブチルヒドロキノン、２，５−ジ第三ブチル−４−ヒドロキシアニソール、３，５−ジ第三ブチル−４−ヒドロキシアニソール、３，５−ジ第三ブチル−４−ヒドロキシフェニルステアレート、ビス（３，５−ジ第三ブチル−４−ヒドロキシフェニル）アジペート。
【００７１】
１．４．トコフェロール
例えば、α−トコフェロール、β−トコフェロール、γ−トコフェロール、δ−トコフェロールおよびそれらの混合物（ビタミンＥ）。
【００７２】
１．５．ヒドロキシル化チオジフェニルエーテル
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ第二アミルフェノール）、４，４’−ビス（２，６−ジメチル−４−ヒドロキシフェニル）ジスルフィド。
【００７３】
１．６．アルキリデンビスフェノール
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’ーヒドロキシフェニル）ブチレート］、ビス（３−第三ブチル−４ーヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン。
【００７４】
１．７．Ｏ−，Ｎ−およびＳ−ベンジル化合物
例えば、３，５，３’，５’−テトラ第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ第三ブチルベンジルメルカプトアセテート、トリス（３，５−ジ第三ブチル−４−ヒドロキシベンジル）アミン、ビス（４−第三ブチル−３−ヒドロキシ−２，６−ジメチルベンジル）ジチオテレフタレート、ビス（３，５−ジ第三ブチル−４−ヒドロキシベンジル）スルフィド、イソオクチル−３，５−ジ第三ブチル−４−ヒドロキシベンジルメルカプトアセテート。
【００７５】
１．８．ヒドロキシベンジル化マロネート
例えば、ジオクタデシル−２，２−ビス（３，５−ジ第三ブチル−２−ヒドロキシベンジル）マロネート、ジオクタデシル−２−（３−第三ブチル−４−ヒドロキシ−５−メチルベンジル）マロネート、ジドデシルメルカプトエチル−２，２−ビス（３，５−ジ第三ブチル−４−ヒドロキシベンジル）マロネート、ビス［４−（１，１，３，３−テトラメチルブチル）フェニル］−２，２−ビス（３，５−ジ第三ブチル−４−ヒドロキシベンジル）マロネート。
【００７６】
１．９．芳香族ヒドロキシベンジル化合物
例えば、１，３，５−トリス（３，５−ジ第三ブチル−４−ヒドロキシベンジル）−２，４，６−トリメチルベンゼン、１，４−ビス（３，５−ジ第三ブチル−４−ヒドロキシベンジル）−２，３，５，６−テトラメチルベンゼン、２，４，６−トリス（３，５−ジ第三ブチル−４−ヒドロキシベンジル）フェノール。
【００７７】
１．１０．トリアジン化合物
例えば、２，４−ビス（オクチルメルカプト）−６−（３，５−ジ第三ブチル−４−ヒドロキシアニリノ）−１，３，５−トリアジン、２−オクチルメルカプト−４，６−ビス（３，５−ジ第三ブチル−４−ヒドロキシアニリノ）−１，３，５−トリアジン、２−オクチルメルカプト−４，６−ビス（３，５−ジ第三ブチル−４−ヒドロキシフェノキシ）−１，３，５−トリアジン、２，４，６−トリス（３，５−ジ第三ブチル−４−ヒドロキシフェノキシ）−１，２，３−トリアジン、１，３，５−トリス（３，５−ジ第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ第三ブチル−４−ヒドロキシフェニルエチル）−１，３，５−トリアジン、１，３，５−トリス（３，５−ジ第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００７８】
１．１１．ベンジルホスホネート
例えば、ジメチル２，５−ジ第三ブチル−４−ヒドロキシベンジルホスホネート、ジエチル３，５−ジ第三ブチル−４−ヒドロキシベンジルホスホネート、ジオクタデシル３，５−ジ第三ブチル−４−ヒドロキシベンジルホスホネート、ジオクタデシル５−第三ブチル−４−ヒドロキシ−３−メチルベンジルホスホネート、３，５−ジ第三ブチル−４−ヒドロキシベンジルホスホン酸のモノエチルエステルのカルシウム塩。
【００７９】
１．１２．アシルアミノフェノール
例えば、４−ヒドロキシラウリン酸アニリド、４−ヒドロキシステアリン酸アニリド、オクチルＮ−（３，５−ジ−第三ブチル−４−ヒドロキシフェニル）カルバメート。
【００８０】
１．１３．β−（３，５−ジ第三ブチル−４−ヒドロキシフェニル）プロピオン酸と以下の一価または多価アルコールとのエステル
アルコールの例：メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００８１】
１．１４．β−（５−第三ブチル−４−ヒドロキシ−３−メチルフェニル）プロピオン酸と以下の一価または多価アルコールとのエステル
アルコールの例：メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン、３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］ウンデカン。
【００８２】
１．１５．β−（３，５−ジシクロシクロヘキシル−４−ヒドロキシフェニル）プロピオン酸と以下の一価または多価アルコールとのエステル
アルコールの例：メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００８３】
１．１６．３，５−ジ第三ブチル−４−ヒドロキシフェニル酢酸と以下の一価または多価アルコールとのエステル
アルコールの例：メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００８４】
１．１７．β−（３，５−ジ第三ブチル−４−ヒドロキシフェニル）プロピオン酸のアミド
例えば、Ｎ，Ｎ’−ビス（３，５−ジ第三ブチル−４−ヒドロキシフェニルプロピオニル）ヘキサメチレンジアミド、Ｎ，Ｎ’−ビス（３，５−ジ第三ブチル−４−ヒドロキシフェニルプロピオニル）トリメチレンジアミド、Ｎ，Ｎ’−ビス（３，５−ジ第三ブチル−４−ヒドロキシフェニルプロピオニル）ヒドラジド、Ｎ，Ｎ’−ビス［２−（３−［３，５−ジ第三ブチル−４−ヒドロキシフェニル］プロピオニルオキシ）エチル］オキサミド〔ユニロイヤル(Uniroyal)社から提供される商標名ナウガード(Naugard) ＸＬ−１〕。
【００８５】
１．１８．アスコルビン酸（ビタミンＣ）
【００８６】
１．１９．アミン系酸化防止剤
例えば、Ｎ，Ｎ’−ジイソプロピル−ｐ−フェニレンジアミン、Ｎ，Ｎ’−ジ第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−およびジアルキル化第三ブチル／第三オクチルジフェニルアミンの混合物、モノ−およびジアルキル化ノニルジフェニルアミンの混合物、モノ−およびジアルキル化ドデシルジフェニルアミンの混合物、モノ−およびジアルキル化イソプロピル／イソヘキシルジフェニルアミンの混合物、モノ−およびジアルキル化第三ブチルジフェニルアミンの混合物、２，３−ジヒドロ−３，３−ジメチル−４Ｈ−１，４−ベンゾチアジン、フェノチアジン、モノ−およびジアルキル化第三ブチル／第三オクチルフェノチアジンの混合物、モノ−およびジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチルピペリジ−４−イル）−ヘキサメチレンジアミン、ビス（２，２，６，６−テトラメチルピペリジ−４−イル）セバケート、２，２，６，６−テトラメチルピペリジン−４−オン、２，２，６，６−テトラメチルピペリジン−４−オール。
【００８７】
２．紫外線吸収剤および光安定剤
２．１．２−（２’−ヒドロキシフェニル) ベンゾトリアゾール
例えば、２−（２’−ヒドロキシ−５’−メチルフェニル）ベンゾトリアゾール、２−（３’，５’−ジ第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；次式：［Ｒ−ＣＨ２  ＣＨ２  −ＣＯＯ−ＣＨ２  ＣＨ２  −］２  （式中、Ｒは３’−第三ブチル−４’−ヒドロキシ−５’−２Ｈ−ベンゾトリアゾール−２−イルフェニル基を表わす）で表わされる化合物、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【００８８】
２．２．２−ヒドロキシベンゾフェノン
例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
【００８９】
２．３．置換および非置換安息香酸のエステル
例えば、４−第三ブチルフェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ第三ブチルフェニル３，５−ジ第三ブチル−４−ヒドロキシベンゾエート、ヘキサデシル３，５−ジ第三ブチル−４−ヒドロキシベンゾエート、オクタデシル３，５−ジ第三ブチル−４−ヒドロキシベンゾエート、２−メチル−４，６−ジ第三ブチルフェニル３，５−ジ第三ブチル−４−ヒドロキシベンゾエート。
【００９０】
２．４．アクリレート
例えば、エチルα−シアノ−β, β−ジフェニルアクリレート、イソオクチルα−シアノ−β, β−ジフェニル−アクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメートおよびＮ−（β−カルボメトキシ−β−シアノビニル) −２−メチルインドリン。
【００９１】
２．５．ニッケル化合物
例えば、２，２’−チオビス［４−（１，１，３，３−テトラメチルブチル) フェノール］のニッケル錯体、例えば１：１または１：２錯体であって、ｎ−ブチルアミン、トリエタノールアミン若しくはＮ−シクロヘキシルジエタノールアミンのような付加的な配位子を伴うものまたは伴わないもの、ニッケルジブチルジチオカルバメート；モノアルキルエステル、例えば４−ヒドロキシ−３，５−ジ第三ブチルベンジルホスホン酸のメチル若しくはエチルエステルのニッケル塩；ケトキシム、例えば２−ヒドロキシ−４−メチル−フェニルウンデシルケトキシムのニッケル錯体、１−フェニル−４−ラウロイル−５−ヒドロキシピラゾールのニッケル錯体であって、他の配位子を伴うものまたは伴わないもの。
【００９２】
２．６．慣用の立体障害性アミン
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１，２，２，６，６−ペンタメチル−４−ピペリジル）ｎ−ブチル−３，５−ジ第三ブチル−４−ヒドロキシベンジルマロネート、１−（２−ヒドロキシエチル）−２，２，６，６−テトラメチル−４−ヒドロキシピペリジンとコハク酸との縮合生成物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンとの直鎖状または環状縮合生成物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ第三ブチルベンジル）マロネート、３−ｎ−オクチル−７，７，９，９−テトラメチル−１，３，８−トリアザスピロ［４．５］デカン−２，４−ジオン、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状または環状縮合生成物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合生成物、２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合生成物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピヘリジル）ピロリジン−２，５−ジオン、３−ドデシル−１−（１，２，２，６，６−ペンタメチル−４−ピペリジル）ピロリジン−２，５−ジオン、５−（２−エチルヘキサノイル）−オキシメチル−３，３，５−トリメチル−２−モルホリノン、１，３，５−トリス（Ｎ−シクロヘキシル−Ｎ−（２，２，６，６−テトラメチルピヘラジン−３−オン−４−イル）アミノ）−ｓ−トリアジン、１，３，５−トリス（Ｎ−シクロヘキシル−Ｎ−（１，２，２，６，６−ペンタメチルピヘラジン−３−オン−４−イル）アミノ）−ｓ−トリアジン、
４−ヘキサデシルオキシ−と４−ステアリルオキシ−２，２，６，６−テトラメチルピペラジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合生成物、１，２−ビス（３−アミノプロピルアミノ）エタンおよび２，４，６−トリクロロ−１，３，５−トリアジン並びに４−ブチルアミノ−２，２，６，６−テトラメチルピペリジンの縮合生成物〔ＣＡＳ  Ｒｅｇ．Ｎｏ［136504-96-6 ］〕；１，６−ヘキサンジアミンおよび２，４，６−トリクロロ−１，３，５−トリアジン並びにＮ，Ｎ−ジブチルアミンおよび４−ブチルアミノ−２，２，６，６−テトラメチルピペリジンの縮合生成物〔ＣＡＳ  Ｒｅｇ．Ｎｏ［192268-64-7 ］〕；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビスホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジンまたは１，２，２，６，６−ペンタメチル−４−アミノピペリジンとの反応生成物。
【００９３】
２．７．オキサミド
例えば、４，４’−ジオクチルオキシオキサニリド、２，２’−ジエトキシオキサニリド、２，２’−ジオクチルオキシ−５，５’−ジ第三ブトキサニリド、２，２’−ジドデシルオキシ−５，５’−ジ第三ブチルオキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリドおよび該化合物と２−エトキシ−２’−エチル−５，４’−ジ第三ブトキサニリドとの混合物、ｏ−およびｐ−メトキシ−二置換オキサニリドの混合物ならびにｏ−およびｐ−エトキシ−二置換オキサニリドの混合物。
【００９４】
２．８．２−（２−ヒドロキシフェニル）−１，３，５−トリアジン
例えば、２，４，６−トリス（２−ヒドロキシ−４−オクチルオキシフェニル) −１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル) −４，６−ビス（４−メチルフェニル）−１，３，５−トリアジン、２−（２−ヒドロキシ−４−ドデシルオキシフェニル) −４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００９５】
３．金属奪活剤
例えば、Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００９６】
４．ホスフィットおよびホスホナイト
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ第三ブチルフェニル）ホスフィット、ジイソデシルペンタエリトリトールジホスフィット、ビス（２，４−ジ第三ブチルフェニル）ペンタエリトリトールジホスフィット、ビス（２，４−ジクミルフェニル）ペンタエリトリトールジホスフィット、ビス（２，６−ジ第三ブチル−４−メチルフェニル）ペンタエリトリトールジホスフィット、ジイソデシルオキシペンタエリトリトールジホスフィット、ビス（２，４−ジ第三ブチル−６−メチルフェニル）ペンタエリトリトールジホスフィット、ビス（２，４，６−トリス第三ブチルフェニル）ペンタエリトリトールジホスフィット、トリステアリルソルビトールトリホスフィット、テトラキス（２，４−ジ第三ブチルフェニル）４，４’−ビフェニレンジホスホナイト、６−イソオクチルオキシ−２，４，８，１０−テトラ第三ブチル−１２Ｈ−ジベンズ［ｄ，ｇ］−１，３，２−ジオキサホスホシン、ビス（２，４−ジ第三ブチル−６−メチルフェニル）メチルホスフィット、ビス（２，４−ジ第三ブチル−６−メチルフェニル）エチルホスフィット、６−フルオロ−２，４，８，１０−テトラ第三ブチル−１２−メチル−ジベンズ［ｄ，ｇ］−１，３，２−ジオキサホスホシン、２，２’，２”−ニトリロ［トリエチルトリス（３，３’，５，５’−テトラ第三ブチル−１，１’−ビフェニル−２，２’−ジイル）ホスフィット］、２−エチルヘキシル（３，３’，５，５’−テトラ第三ブチル−１，１’−ビフェニル−２，２’−ジイル）ホスフィット、５−ブチル−５−エチル−２−（２，４，６−トリ第三ブチルフェノキシ）−１，３，２−ジオキサホスフィラン。
【００９７】
下記のホスフィットはとりわけ好ましい。
トリス（２，４−ジ第三ブチルフェニル）ホスフィット〔商標名イルガフォス(Irgafos) １６８，チバ−ガイギ(Ciba-Geigy)社製〕、トリス（ノニルフェニル）ホスフィット、次式で表されるホスフィット：
【化５１】
0004114183.tif 000050
【化５２】
0004114183.tif 000051
【００９８】
５．ヒドロキシルアミン
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素添加された牛脂アミンから誘導されたＮ，Ｎ−ジアルキルヒドロキシルアミン。
【００９９】
６．ニトロン
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシル−ニトロン、Ｎ−ヘキサデシル−α−ヘプタデシル−ニトロン、Ｎ−オクタデシル−α−ペンタデシル−ニトロン、Ｎ−ヘプタデシル−α−ヘプタデシル−ニトロン、Ｎ−オクタデシル−α−ヘキサデシル−ニトロン、水素添加された牛脂アミンから誘導されたＮ，Ｎ−ジアルキルヒドロキシルアミンから誘導されたニトロン。
【０１００】
７．チオ相乗剤
例えば、ジラウリルチオジプロピオネートまたはジステアリルチオジプロピオネート。
【０１０１】
８．過酸化物掃去剤
例えば、β−チオジプロピオン酸エステル、例えばラウリル、ステアリル、ミリスチルまたはトリデシルエステル、メルカプトベンズイミダゾールまたは２−メルカプトベンズイミダゾール亜鉛塩、亜鉛ジブチルジチオカルバメート、ジオクタデシルジスルフィド、ペンタエリトリトールテトラキス（β−ドデシルメルカプト）プロピオネート。
【０１０２】
９．ポリアミド安定剤
例えば、沃化物および／または燐化合物および二価マンガン塩と組み合わせた銅塩。
【０１０３】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばカルシウムステアレート、亜鉛ステアレート、マグネシウムベヘネート、マグネシウムステアレート、ナトリウムリシノレエートおよびカリウムパルミテート、アンチモンピロカテコレートまたは亜鉛ピロカテコレート。
【０１０４】
１１．核剤
例えば、無機物質、例えばタルク、金属酸化物、例えば、二酸化チタンまたは酸化マグネシウム、好ましくはアルカリ土類金属の燐酸塩、炭酸塩または硫酸塩；有機化合物、例えば、モノ−またはポリカルボン酸およびその塩、例えば、４−第三ブチル安息香酸、アジピン酸、ジフェニル酢酸、コハク酸ナトリウムまたは安息香酸ナトリウム；ポリマー状化合物、例えばイオン性コポリマー（イオノマー）。とりわけ好ましいものは、１，３：２，４−ビス（３’，４’−ジメチルベンジリデン）ソルビトール、１，３：２，４−ジ（パラメチル−ジベンジリデン）ソルビトール、および１，３：２，４−ジ（ベンジリデン）ソルビトールである。
【０１０５】
１２．充填剤および強化剤
例えば、炭酸カルシウム、珪酸塩、ガラス繊維、ガラス球、アスベスト、タルク、カオリン、雲母、硫酸バリウム、金属酸化物および水酸化物、カーボンブラック、黒鉛、木材粉末、および他の天然物の粉末または繊維、合成繊維。
【０１０６】
１３．その他の添加剤
例えば、可塑剤、潤滑剤、乳化剤、顔料、レオロジー添加剤、触媒、流れ調整剤、蛍光増白剤、防炎加工剤、帯電防止剤および発泡剤。
【０１０７】
１４．ベンゾフラノンおよびインドリノン
例えば、Ｕ．Ｓ．４３２５８６３、Ｕ．Ｓ．４３３８２４４、Ｕ．Ｓ．５１７５３１２、Ｕ．Ｓ．５２１６０５２、Ｕ．Ｓ．５２５２６４３、ＤＥ−Ａ−４３１６６１１、ＤＥ−Ａ−４３１６６２２、ＤＥ−Ａ−４３１６８７６、ＥＰ−Ａ−０５８９８３９またはＥＰ−Ａ−０５９１１０２に開示されたもの、或いは３−［４−（２−アセトキシエトキシ）フェニル］−５，７−ジ第三ブチルベンゾフラン−２−オン、５，７−ジ第三ブチル−３−［４−（２−ステアロイルオキシエトキシ）フェニル］ベンゾフラン−２−オン、３，３’−ビス［５，７−ジ第三ブチル−３−（４−［２−ヒドロキシエトキシ］フェニル）ベンゾフラン−２−オン］、５，７−ジ第三ブチル−３−（４−エトキシフェニル）ベンゾフラン−２−オン、３−（４−アセトキシ−３，５−ジメチルフェニル）−５，７−ジ第三ブチルベンゾフラン−２−オン、３−（３，５−ジメチル−４−ピバロイルオキシフェニル）−５，７−ジ第三ブチルベンゾフラン−２−オン、３−（３，４−ジメチルフェニル）−５，７−ジ第三ブチルベンゾフラン−２−オン、３−（２，３−ジメチルフェニル）−５，７−ジ第三ブチル−ベンゾフラン−２−オン。
【０１０８】
１５．アミンオキシド
例えば、アメリカ合衆国特許第５８４４０２９号および同第５８８０１９１号に開示されたアミン酸化物誘導体、ジデシルメチルアミンオキシド、トリデシルアミンオキシド、トリドデシルアミンオキシドおよびトリヘキサデシルアミンオキシド。アメリカ合衆国特許第５８４４０２９号および同第５８８０１９１号は、熱可塑性樹脂の安定化のための飽和炭化水素アミンオキシドの使用を開示している。熱可塑性組成物は、フェノール性酸化防止剤，立体障害性アミン光安定剤，紫外線吸収剤，有機燐化合物，脂肪酸のアルカリ金属塩およびチオ相乗剤から選択される安定剤又は安定剤混合物をさらに含み得ることが開示されている。ポリオレフィンを安定化するためのアミンオキシドと他の添加剤との併用は、例示されていない。
【０１０９】
更に好ましい組成物は、成分（ｂ）及び（ｃ）に加えて、更なる添加剤、特にフェノール性酸化防止剤、光安定剤または加工安定剤を含む。
特に好ましい添加剤は、フェノール性酸化防止剤（リストの項目１）、さらには立体障害性アミン（リストの項目２．６）、ベンゾトリアゾールおよび／またはｏ−ヒドロキシフェニルトリアジン類の光安定剤（リストの項目２．１および２．８）、ホスフィットおよびホスホナイト（リストの項目４）および過酸化物破壊化合物（リストの項目５）である。
【０１１０】
同様に特に好ましいさらなる添加剤（安定剤）は、例えばＵＳ−Ａ−４，３２５，８６３、ＵＳ−Ａ−４，３３８，２４４またはＵＳ−Ａ−５，１７５，３１２において記載されるようなベンゾフラン−２−オンである。
【０１１１】
本発明の組成物は、ｓ−トリアジン、オキサニリド、ヒドロキシベンゾフェノン、ベンゾエートおよびα−シアノアクリレートからなる群より選択された他のＵＶ吸収剤をさらに含むことができる。特に、本発明の組成物はさらに、少なくとも１種の他の２−ヒドロキシフェニル−２Ｈ−ベンゾトリアゾール、他のトリス−アリール−ｓ−トリアジン、または立体障害性アミンまたはそれらの混合物の安定化有効量を含み得る。好ましいのは、顔料、染料、可塑剤、酸化防止剤、チキソトロープ剤、均展助剤、塩基性補助安定剤、ＵＶ吸収剤および／または立体障害性アミンのようなさらなる光安定剤、金属奪活剤、金属酸化物、有機リン化合物、ヒドロキシルアミン、およびそれらの混合物、特に顔料、フェノール性酸化防止剤、カルシウムステアレート、亜鉛ステアレート、２−（２’−ヒドロキシフェニル）ベンゾトリアゾールおよび２−（２−ヒドロキシフェニル）−１，３，５−トリアジン類のＵＶ吸収剤、および立体障害性アミンである。
【０１１２】
光安定性および難燃性の双方において特に改良された性能が、熱可塑性ポリマーが難燃剤の他に、慣用の高分子量を有する立体障害性アミンとヒドロキシヒドロカルビルオキシアミン類の低分子量立体障害性アミンとの組み合わせを含有する場合に得られることが、本発明の発見の一つである。それ故、本発明はまた
Ａ）熱可塑性ポリマー、
Ｂ）アンモニウムポリホスフェート、ハロゲン化および／またはメラミンをベースとする難燃剤から選択された難燃剤、
Ｃ）Ｃ１）ヒドロキシヒドロカルビルオキシアミン類の低分子量立体障害性アミン、および
Ｃ２）慣用の高分子量立体障害性アミン
を含む立体障害性アミン光安定剤の組み合わせ
を含む光および屋外暴露の有害な効果に対して安定化された難燃性組成物にも関する。
【０１１３】
これらの組成物において好ましいポリマー（Ａ）は最初に説明した（ａ）と同じである。
【０１１４】
本発明の組成物における成分（Ｂ）として有用なハロゲン化難燃剤は、有機芳香族ハロゲン化化合物、例えばハロゲン化されたベンゼン、ビフェニル、フェノール、そのエーテルまたはエステル、ビスフェノール、ジフェニルオキシド、芳香族カルボン酸またはポリ酸、その無水物、アミドまたはイミド、有機環式脂肪族またはポリ環式脂肪族ハロゲン化化合物、および有機脂肪族ハロゲン化化合物、例えばハロゲン化されたパラフィン、オリゴマーまたはポリマー、アルキルホスフェートまたはアルキルイソシアヌレートである。これらの成分は大部分は従来技術に既知であり、例えば米国特許第４，５７９，９０６（例えば、第３欄、３０〜４１頁）、米国特許第５，３９３，８１２号を、またプラスチック。アディティブズ・ハンドブック、Ｈ．ツワイフェル編、第５版、ハンセル出版、ミュンヘン２００１年、頁６８１〜６９８を参照せよ。
【０１１５】
ハロゲン化難燃剤は例えば、塩化または臭化化合物であって、例えば以下の化合物から選択され得る。
クロロアルキルホスフェートエステル（ＡＮＴＩＢＬＡＺＥRＡＢ−１００、アルブライト＆ウィルソン、ＦＹＲＯＬRＦＲ−２、アクゾノーベル）、
ポリ臭化ジフェニルオキシド（ＤＥ−６０Ｆ、グレートレイクスコーポレーション）、
デカブロモジフェニルオキシド（ＤＢＤＰＯ、ＳＡＹＴＥＸR１０２Ｅ）、
トリス［３−ブロモ−２，２−ビス（ブロモメチル）プロピル］ホスフェート（ＰＢ３７０R、ＦＭＣコーポレーション）、
ビスフェノールＡのビス（２，３−ジブロモプロピルエーテル）（ＰＥ６８）、
臭化エポキシ樹脂、
エチレン−ビス（テトラブロモフタルイミド）（ＳＡＹＴＥＸRＢＴ−９３）、
ビス（ヘキサクロロシクロペンタジエノ）シクロオクタン（ＤＥＣＬＯＲＡＮＥ
ＰＬＵＳR）、
塩化パラフィン、
１，２−ビス（トリブロモフェノキシ）エタン（ＦＦ６８０）、
テトラブロモ−ビスフェノールＡ（ＳＡＹＴＥＸRＲＢ１００）、
エチレンビス−（ジブロモ−ノルボナンジカルボキシイミド）（ＳＡＹＴＥＸRＢＮ−４５１）、
ビス−（ヘキサクロロシクロペンタジエノ）シクロオクタン、
トリス−（２，３−ジブロモプロピル）−イソシアヌレート、
エチレン−ビス−テトラブロモフタルイミド。
成分（Ｂ）として好ましいのは、臭化難燃剤である。
【０１１６】
本発明のこれらの組成物における最も好ましい難燃剤（Ｂ）は、
Ｂ１）メラミンをベースとする難燃剤および／またはアンモニウムポリホスフェート、
Ｂ２）ビス−（ヘキサクロロシクロペンタジエノ）シクロオクタン、
Ｂ３）トリス−（２，３−ジブロモプロピル）−イソシアヌレート、
Ｂ４）エチレン−ビス−テトラブロモフタルイミド、
Ｂ５）１，２，５，６，９，１０−ヘキサブロモ−シクロ−ドデカン、
Ｂ６）エタン−１，２−ビス（ペンタブロモフェニル）、
Ｂ７）トリス（３−ブロモ−２，２−（ブロモメチル）プロピル）ホスフェート。
【０１１７】
本発明のこれらの組成物における特に好ましい難燃剤（Ｂ）は、成分（ｂ）について最初に説明したのと同じである。
【０１１８】
難燃剤（Ｂ）はしばしば、ポリマー性物質（Ａ）の０．５ないし５０重量％の量で含有され、最も好ましい難燃剤（Ｂ）についてのより好ましい投入量は、成分（ｂ）について最初に説明したのと同じである。
【０１１９】
これらの組成物中の比率（Ｂ）：（Ｃ）は好ましくは、２０：１ないし２５０：１の範囲内である。
【０１２０】
これらの組成物中の比率（Ｃ１）：（Ｃ２）はしばしば、１：５ないし５：１の範囲内である。ポリマー性物質（Ａ）がポリオレフィンである場合、低分子量成分（Ｃ１）は好ましくは（Ｃ２）と略同じかより多い量、例えば（Ｃ１）および（Ｃ２）からなる成分（Ｃ）の１００部について４０〜９５重量部で使用される。
【０１２１】
主成分ポリエチレンを有するポリオレフィンにおいて、低分子量部分（Ｃ１）はしばしば、成分（Ｃ）の全量の約半分、例えば全成分（Ｃ）の４０ないし約７０重量％、より特に４５ないし約５５重量％となるだろう。
【０１２２】
主成分ポリプロピレンを有するポリオレフィンにおいて、低分子量部分（Ｃ１）はしばしば、成分（Ｃ）の全量の半分より多く、例えば全成分（Ｃ）の５０ないし約９０重量％、より特に６０〜約８５重量％となるだろう。
【０１２３】
ポリオレフィンにおけるこのような条件下で、低分子量成分（Ｃ１）はまたヒドロカルビルオキシアミン類であり得る。それ故、本発明の他の対象は、
Ａ）ポリオレフィン、
Ｂ）アンモニウムポリホスフェート、ハロゲン化および／またはメラミンをベースとする難燃剤から選択された難燃剤、および
Ｃ）全成分（Ｃ）の１００重量部について、
Ｃ１）ヒドロカルビルオキシアミン類の低分子量立体障害性アミン４０ないし９５重量部、および
Ｃ２）慣用の高分子量立体障害性アミン５ないし６０重量部
を含む立体障害性アミン光安定剤の組み合わせ
を含む組成物に関する。
【０１２４】
ヒドロキシヒドロカルビルオキシアミンまたは、適当な場合ヒドロカルビルオキシアミン類の低分子量立体障害性アミン（Ｃ１）は通常、２００ないし１０００ｇ／モル、特に３００ないし８００ｇ／モルの分子量範囲からのものである。それは一つの化合物、または各々分子量条件を満たす化合物の混合物であり得る。特に好ましいのは例えば、
１−シクロヘキシルオキシ−２，２，６，６−テトラメチル−４−オクタデシルアミノピペリジン、
ビス（１−オクチルオキシ−２，２，６，６−テトラメチルピペリジニ−４−イル）セバケート、
ビス（１−シクロヘキシルオキシ−２，２，６，６−テトラメチルピペリジニ−４−イル）アジペート、
１−（２−ヒドロキシ−２−メチルプロポキシ）−４−オクタデカノイルオキシ−２，２，６，６−テトラメチルピペリジン
である。
【０１２５】
高分子量立体障害性アミン（Ｃ２）は、その窒素原子が未置換であるか（第二立体障害性アミン）、またはアルキル基、特にメチル基で置換されているか（アルキル化第三立体障害性アミン）、またはポリマー骨格の一部（ポリマー性第三立体障害性アミン）である２，２，６，６−テトラメチル−４−ピペリジル部分を含有する慣用の種類のものである。それは通常、１２００ないし１００００ｇ／モル、特に１５００ないし５０００ｇ／モルの分子量範囲からのものである。本発明の組成物において有用なそのような化合物の例は、上述の項目２．６の下に列挙されたものの中から見出されることができ、例えば以下の化合物である。
【０１２６】
高分子量の第二立体障害性アミンについての例
【化５３】
0004114183.tif 000052
（式中、ｎは主に３〜５の範囲である。)。
【０１２７】
高分子量のメチル化第三立体障害性アミンについての例
【化５４】
0004114183.tif 000053
（式中、ｎは上記されたものである。)、
【化５５】
0004114183.tif 000054
（式中、Ｒは
【化５６】
0004114183.tif 000055
を表す。)。
【０１２８】
高分子量のポリマー性第三立体障害性アミンについての例
【化５７】
0004114183.tif 000056
【０１２９】
成分（Ｃ２）の特に好ましい化合物は、その窒素原子が未置換であるかまたはアルキル、特にメチル置換されている２，２，６，６−テトラメチル−４−ピペリジル部分を含有するものである。成分（Ｃ２）の特に好ましい化合物はまた、構造骨格としてトリアジン部分を含む。
【０１３０】
一般に、成分（Ｃ）は、ポリマー成分（Ａ）に基づいて、０．０１ないし１０重量％、好ましくは０．０５ないし５重量％、特に好ましくは０．１ないし３重量％の量で含有される。重量比（Ｃ１）：（Ｃ２）は好ましくは、１：１０ないし１０：１、最も好ましくは１：１ないし１０：１に範囲する。
【０１３１】
本発明のこれらの組成物、およびそれを使用する方法において所望により使用されるさらなる成分は、最初に説明したのと同じである。
【０１３２】
以下の例は説明目的のためのみであり、いかなる方法によっても本発明を制限すると解釈されない。室温は２０〜２５℃の範囲の温度を表す。百分率は他に示さない限り重量百分率である。
略語：
ｖ  体積部
ｗ  重量部
1Ｈｎｍｒ  1Ｈの核磁気共鳴（ＮＭＲ）
ｍ／ｚ  質量分析計（原子単位）
ａｍｕ  ｇ／モルにおける分子量（＝原子単位）
Ｍn  分子量の数平均（通常、ＧＰＣにより決定される）
ＰＰ  ポリプロピレン
ＰＥ  ポリエチレン
ＰＥ−ＬＤ  低密度ポリエチレン（ＬＤＰＥ）
【０１３３】
実施例において使用するためのヒドロカルビルオキシアミンまたはヒドロキシヒドロカルビルオキシアミン類の立体障害性アミン（本発明の成分ｃ）は
ｃ１  米国特許第６，２７１，３７７号の実施例７３において開示される次式
【化５８】
0004114183.tif 000057
で表される化合物
ｃ２  次式
【化５９】
0004114183.tif 000058
（式中、Ｒ1、Ｒ2、Ｒ3およびＲ4の三つは、次式
【化６０】
0004114183.tif 000059
で表される残基を表し、そしてＲ1、Ｒ2、Ｒ3およびＲ4の一つは水素を表す。)で表される主成分を有する化合物の混合物（ｃ２はＵＳ−５８４４０２６の実施例３において開示される。）
ｃ３  次式
【化６１】
0004114183.tif 000060
で表される化合物
ｃ４  次式
【化６２】
0004114183.tif 000061
で表される化合物（ＵＳ−６１１７９９５の実施例２）
【０１３４】
実施例において使用されるさらなる安定剤は、次式で表される化合物である。
Ａ  次式
【化６３】
0004114183.tif 000062
（式中、Ｒは次式
【化６４】
0004114183.tif 000063
で表される基を表す。)で表される化合物。
Ｂ  ポリ［［６−［（１，１，３，３−テトラメチルブチル）アミノ］−１，３，５−トリアジン−２，４−ジイル］［［（２，２，６，６−テトラメチル−４−ピペリジル）イミノ］ヘキサメチレン［（２，２，６，６−テトラメチル−４−ピペリジル）イミノ］］（ＣＡＳ−Ｎｏ．７０６２４−１８−９）
Ｃ  ビス（２，２，６，６−テトラメチルピペリジニ−４−イル）−セバケート（ＣＡＳ−Ｎｏ．５２８２９−０７−９）
Ｄ  次式
【化６５】
0004114183.tif 000064
で表されるオリゴマー（ＣＡＳ−Ｎｏ．６５４４７−７７−０）
Ｅ  次式
【化６６】
0004114183.tif 000065
で表される化合物
Ｆ  次式
【化６７】
0004114183.tif 000066
で表される化合物
Ｇ  次式
【化６８】
0004114183.tif 000067
で表される化合物
【０１３５】
化合物ｃ２、ｃ３およびＡ〜Ｇは、チバスペシャルティケミカルズから市販で入手可能な安定剤である。
【０１３６】
実施例１
試料調整：ポリマー粉末および安定剤を予備混合（ヘンシェルミキサー、８００ｒｐｍ、室温）し、顔料粉末および難燃剤をＰＰ中の濃縮物として添加し、そしてドラムミキサー中で均質化した。さらなる均質化および顆粒化を押出（コリンR二軸押出機、最大２００℃、１００ｒｐｍ）によって達成した。
引き続いて、混合物を対応するノズル（試料寸法２ｍｍ厚、１０ｃｍ幅）を備えた一軸押出機（最大２００℃、７０ｒｐｍ）により平らなフィルムに加工した。
耐候試験：パンチ抜きした試料を促進耐候試験（アトラスRＷＯＭＣｉ６５、０．３５Ｗ／ｍ2（３４０ｎｍで）、１０２分乾燥、１８分水噴霧、６３℃ブラックパネル温度）に暴露した。表面についての耐候試験の効果を以下の方法において評価した。
チョーク化の目視観察（チョーク化は表面の分解を示す。）。
光沢：ミノルタ、表面の崩壊は偏光の反射を減じる（ＤＩＮ６７５３０において定義された６０°光沢）。
ΔＥ：変色（ＤＩＮ６１７４に従う）。
配合：
ポリプロピレン−エチレンコポリマー（ノベロンRＰＰＧ１０２２）８４重量部、
エチレン−ビス−テトラブロモフタルイミド（ｂ４）５１重量％およびＳｂ2Ｏ3１７重量％を含有するＰＥをベースとした難燃剤マスターバッチ１５重量部、
ＴｉＯ2１重量部、および
青色顔料（クロモフタルブルー４ＧＮＰ）０．２重量部、および
以下の表において表される安定剤（量は全配合物の重量％で与えられる。）。
結果を以下の表に示す。
【表１】
0004114183.tif 000068
難燃剤と本発明の立体障害性アミンとの組み合わせを含有する試料は、本発明の成分ｃを他の立体障害性アミンによって置き換えた試料よりも、チョーク化を表さず、良好な光沢および明瞭により少ない変色を表した。
【０１３７】
実施例２
試料を実施例１に記載したように調整しそして促進耐候試験に供した。
配合：
ポリプロピレン−エチレンコポリマー（ノベロンRＰＰＧ１０２２）８９重量部、
トリス−（２，３−ジブロモプロピル）−イソシアヌレート（ｂ３）３０重量％およびＳｂ2Ｏ3１５重量％を含有するＰＥをベースとした難燃剤マスターバッチ１０重量部、
ＴｉＯ2１重量部、および
青色顔料（クロモフタルブルー４ＧＮＰ）０．２重量部、および
以下の表において表される安定剤（量は全配合物の重量％で与えられる。）。
結果を以下の表に示す。
【表２】
0004114183.tif 000069
上記の例における化合物ｃ３を等量のｃ２またはｃ４によって置き換えることはまた優秀な特性を導く。
【０１３８】
実施例３
試料調整：ポリマー粉末、難燃剤および安定剤を予備混合（ヘンシェルミキサー、８００ｒｐｍ、室温）し、顔料をＰＥ−ＬＤ中の濃縮物として添加し、そしてドラムミキサー中で均質化した。さらなる均質化および顆粒化を押出（ベルストルフR二軸押出機、最大２２０℃、１００ｒｐｍ）によって達成した。
試験試料（４４×６８×２ｍｍ）を、最大２００℃の可塑化温度および５０℃の成形温度で圧縮成形（エンゲル）によって得た。
促進された耐候試験および試料の評価を実施例１に記載されたように行った。
配合：
ポリプロピレン−エチレンコポリマー（アプリルR３０６０）７３重量部、
メラミンポリホスフェート（難燃剤ｂ１、メラプアーRＰ４６）２５重量部、
青色顔料マスターバッチ（ＰＥ−ＬＤ中の１０％クロモフタルブルー４ＧＮＰ）２重量部、
市販のフェノール性酸化防止剤（トリス（２，４−ジ−ｔ−ブチルフェニル）ホスフィットおよびペンタエリトリトールテトラキス［３−（３，５−ジ−ｔ−ブチル−４−ヒドロキシフェニル）プロピオネート］の１：１混合物、チバスペシャリティケミカルズから入手可能）０．１５重量部、および
以下の表において表される安定剤（量は全配合物の重量％で与えられる。）。
結果を以下の表に示す。
【表３】
0004114183.tif 000070
【０１３９】
実施例４
試料調整、促進耐候試験および試料の評価を実施例３に記載したように行った。
配合：
ポリプロピレン−エチレンコポリマー（アプリルR３０６０）８２重量部、
ビス−（ヘキサクロロシクロペンタジエノ）シクロオクタン（難燃剤ｂ２、デクロランプラスR）１２重量部、
Ｓｂ2Ｏ3４重量部、
青色顔料マスターバッチ（ＰＥ−ＬＤ中の１０％クロモフタルブルー４ＧＮＰ）２重量部、
市販のフェノール性酸化防止剤（トリス（２，４−ジ−ｔ−ブチルフェニル）ホスフィットおよびペンタエリトリトールテトラキス［３−（３，５−ジ−ｔ−ブチル−４−ヒドロキシフェニル）プロピオネート］の１：１混合物、チバスペシャリティケミカルズから入手可能）０．１５重量部、および
以下の表において表される安定剤（量は全配合物の重量％で与えられる。）。
結果を以下の表に示す。
【表４】
0004114183.tif 000071
【０１４０】
実施例５
試料調整、促進耐候試験および試料の評価を実施例３に記載したように行った。配合物は、メラミンポリホスフェート難燃剤を等量のアンモニウムポリホスフェート（難燃剤ｂ１、エキソリスRＡＰ７５２）によって置き換えたことを除いて、実施例３のものと同一である。結果を以下の表に示す。
【表５】
0004114183.tif 000072
【０１４１】
実施例６
試料調整、促進耐候試験および試料の評価を実施例３に記載したように行った。
配合：
ポリプロピレン−エチレンコポリマー（アプリルR３０６０）９２重量部、
トリス（３−ブロモ−２，２−（ブロモメチル）プロピル）ホスフェート（難燃剤、デッドシーブロミンからのＦＲ３７２）４重量部、
Ｓｂ2Ｏ3２重量部、
青色顔料マスターバッチ（ＰＥ−ＬＤ中の１０％クロモフタルブルー４ＧＮＰ）２重量部、
市販のフェノール性酸化防止剤（トリス（２，４−ジ−ｔ−ブチルフェニル）ホスフィットおよびペンタエリトリトールテトラキス［３−（３，５−ジ−ｔ−ブチル−４−ヒドロキシフェニル）プロピオネート］の１：１混合物、チバスペシャリティケミカルズから入手可能）０．１５重量部、および
以下の表において表される安定剤（量は全配合物の重量％で与えられる。）。
結果を以下の表に示す。
【表６】
0004114183.tif 000073
【０１４２】
実施例７
試料調整、促進耐候試験および試料の評価を実施例３に記載したように行った。
配合：
ポリプロピレン−エチレンコポリマー（アプリルR３０６０）８８重量部、
エタン−１，２−ビス（ペンタブロモフェニル）（難燃剤ｂ６、サイテックスR８０１０）８重量部、
Ｓｂ2Ｏ3４重量部、
青色顔料マスターバッチ（ＰＥ−ＬＤ中の１０％クロモフタルブルー４ＧＮＰ）２重量部、
市販のフェノール性酸化防止剤（トリス（２，４−ジ−ｔ−ブチルフェニル）ホスフィットおよびペンタエリトリトールテトラキス［３−（３，５−ジ−ｔ−ブチル−４−ヒドロキシフェニル）プロピオネート］の１：１混合物、チバスペシャリティケミカルズから入手可能）０．１５重量部、および
以下の表において表される安定剤（量は全配合物の重量％で与えられる。）。
結果を以下の表に示す。
【表７】
0004114183.tif 000074